(57)【特許請求の範囲】
【請求項１】
所定の情報を記録した記録媒体を収納するホルダが周方向に多数配置された記録媒体収納手段と、記録媒体の再生を行う再生手段と、記録媒体収納手段を周方向に回転し、所望のホルダを所定の交換位置に移動する回転手段と、記録媒体収納手段の内、所定の交換位置に有るホルダから記録媒体を取り出し、再生手段にセットするローディングを行ったり、再生手段にセットされている記録媒体を記録媒体収納手段の内、所定の交換位置に有るホルダに収納させるアンローディングを行ったりするローディング手段と、或る所望記録媒体の再生が指示されると、回転手段を制御して所望記録媒体の収納された或るホルダを所定の交換位置に移動させ、続いてローディング手段を制御して所定の交換位置に有る当該或るホルダから所望の記録媒体を取り出し再生手段にセットさせ、再生手段を制御して記録媒体の再生をさせる再生制御手段と、を備えたチェンジャー式記録媒体再生装置において、
記録媒体収納手段に収納済の各記録媒体別に再生回数を計測して記憶する再生回数計測手段と、
記録媒体収納手段に収納済の各記録媒体を、記録媒体収納手段の先頭ホルダ近傍から該先頭ホルダより略１８０°反対側の中間ホルダ近傍まで、時計回りに見ても反時計回りに見ても再生回数の多い順に記録媒体が収納された状態となるように並べ替え、かつ、先頭ホルダが所定の交換位置で待機した状態とする並べ替え手段と、
を備えたことを特徴とするチェンジャー式記録媒体再生装置。
【請求項２】
所定の情報を記録した記録媒体を収納するホルダが周方向に多数配置された記録媒体収納手段と、記録媒体の再生を行う再生手段と、記録媒体収納手段を周方向に回転し、所望のホルダを所定の交換位置に移動する回転手段と、記録媒体収納手段の内、所定の交換位置に有るホルダから記録媒体を取り出し、再生手段にセットするローディングを行ったり、再生手段にセットされている記録媒体を記録媒体収納手段の内、所定の交換位置に有るホルダに収納させるアンローディングを行ったりするローディング手段と、或る所望記録媒体の再生が指示されると、回転手段を制御して所望記録媒体の収納された或るホルダを所定の交換位置に移動させ、続いてローディング手段を制御して所定の交換位置に有る当該或るホルダから所望の記録媒体を取り出し再生手段にセットさせ、再生手段を制御して記録媒体の再生をさせる再生制御手段と、を備えたチェンジャー式記録媒体再生装置において、
記録媒体収納手段の全ホルダを、先頭ホルダから該先頭ホルダより略１８０°反対側の第１中間ホルダまでの第１群と、当該第１中間ホルダの次の第２中間ホルダから最後尾ホルダまでの第２群とに分けておき、第１群のホルダに収納済の各記録媒体を、第１群内で先頭ホルダから第１中間ホルダまでより最新に再生された記録媒体がより先頭に近いホルダに収納された状態となるように並べ替え、第２群のホルダに収納済の各記録媒体を、第２群内で最後尾ホルダから第２中間ホルダまでより最新に再生された記録媒体がより最後尾に近いホルダに収納された状態となるように並べ替え、かつ、先頭ホルダまたは最後尾ホルダを所定の交換位置で待機状態とする並べ替え手段を備えたこと、
を特徴とするチェンジャー式記録媒体再生装置。
【発明の詳細な説明】
【０００１】
【発明の属する技術分野】
本発明はチェンジャー式記録媒体再生装置に係り、とくに、所定の情報が記録された多数の記録媒体を周方向に並べて収納する記録媒体収納手段を有するチェンジャー式ＣＤ（コンパクトディスク）プレーヤ、チェンジャー式ＭＤ（ミニディスク）プレーヤなどのチェンジャー式記録媒体再生装置に関する。
【０００２】
【従来の技術】
複数枚のＣＤをディスク収納部に収納しておき、ユーザ所望の任意のＣＤをディスク収納部からディスク再生部にローディングし、再生させるようにしたチェンジャー式ＣＤプレーヤが有る。このチェンジャー式ＣＤプレーヤにおいて、数十〜数百枚もの多量のＣＤを任意に交換しながら再生可能とする場合、回転軸の回りに回転自在で多数枚のＣＤを周方向に所定間隔ずつおいてホルダ内に収納するようにしたロータリストッカーと呼ばれるディスク収納部が用いられる。図５１にロータリストッカーを備えた従来のチェンジャー式ＣＤプレーヤの構成を示す。
【０００３】
図５１において、１はロータリストッカーであり、中心の回転軸２の回りに回転自在に構成されており、周方向に等間隔おいてＷ個のホルダ３1 〜３W が設けられている。各ホルダ３j は１枚のＣＤ４i （ｉは１〜Ｗの整数）を出し入れ自在に直立姿勢で収納する。各ホルダ３j は固有のホルダナンバｊにより区別されるが、ここでは時計方向に順に１からＷまで割り当てられているものとする。５は後述するコントロール部の制御に従いロータリストッカー１を時計方向（ＣＷ方向）または反時計方向（ＣＣＷ方向）に回転する回転部、６はＣＤ４i の再生を行い音楽信号を出力するディスク再生部である。
【０００４】
７はロータリストッカー１とディスク再生部６の間に設けられたローディング部であり、ロータリストッカー１の任意の１つのホルダ３j が丁度対向する位置（図５１の破線Ａ参照）に在る状態で、コントロール部の制御に従い、当該ホルダ３j に収納されたＣＤ４i に向けて、ロータリストッカー１の外側の所定の待機位置からクランプアーム（図示せず）を進出させ、ＣＤ４i をクランプアームでクランプしながら取り出し、ディスク再生部６にセットし、しかるのちクランプを解放し所定の待機位置にクランプアームを退避させることでローディングを行ったり、反対にディスク再生部６にセットされたＣＤ４i に向けて待機位置からクランプアームを進出させ、クランプアームでクランプしながら取り出し、ロータリストッカー１の上のホルダ３j に挿入し、しかるのちクランプを解放し所定の待機位置にクランプアームを退避させることでアンローディングを行う。
【０００５】
８は回転パルス発生部であり、ロータリストッカー１が回転して任意のホルダ３がローディング部７に対向する位置（交換位置。図５１の破線Ａ参照）に来る度に１個のパルスを出力する。９は操作部であり、ディスクナンバを選択入力するためのテンキーを有し、所望ＣＤの再生指示操作を行う。１０はマイコン構成のコントロール部であり、ユーザにより再生すべきＣＤ４i が指示されると、回転部５を制御して所望ＣＤ４i の収納されたホルダナンバｊのホルダ３j がローディング部７に対向する位置（図５１の破線Ａ参照）に来るようにロータリストッカー１を回転させたあと、ローディング部７を制御してホルダ３j から所望ＣＤ４i をディスク再生部６にローディングさせる。しかるのち、ディスク再生部６を制御して所望ＣＤ４i を再生させる。所望ＣＤ４i の全曲の再生が終われば、ローディング部７を制御して所望ＣＤ４i をディスク再生部６から元のホルダ３j にアンローディングさせる。
【０００６】
図５２〜図５４はディスク移動動作の説明図であり、以下、これらの図を参照して図５１に示すチェンジャー式ＣＤプレーヤの動作を説明する。
なお、図５１では説明の便宜上、Ｗ＝２４としてあり、ロータリストッカー１にはホルダナンバ１から２４までの各ホルダ３1 〜３24にＣＤ４1 〜ＣＤ４24（添え字は個々のＣＤを区別するためのディスクナンバ）が収納済であるとする（図５１参照）。また、最初、交換位置にあるホルダ３j のホルダナンバｊが１となっているものとする（図５１の状態参照）。
【０００７】
ユーザが例えばＣＤ４3 を再生させたい場合、操作部９の所望ＣＤ選択用のテンキーでディスクナンバ３を入力する。コントロール部１０は再生対象ディスクナンバＰ＝３として内蔵メモリ１１の作業領域（図示せず）に記憶し、回転部５を制御し、ホルダ３3 が交換位置（ローディング部７に丁度対向する位置）に来るように回転移動する（図５２（１）参照）。具体的には、回転前に交換位置に有るホルダから、所望ＣＤの収納されているホルダまで、時計方向（ＣＷ）と反時計方向（ＣＣＷ）の内、いずれの回転の方が近いか判別し、判別した方向をＸとし、またＸ方向にホルダ間隔の何倍離れているか計算し、Ｙ倍とする。そして、回転部５を制御し、ロータリストッカー１をＸ方向へ回転させ、回転パルス検出部８からＹ個パルスが出力された時点で回転部５を制御し回転を停止させる。
【０００８】
次に、コントロール部１０はローディング部７を制御し、交換位置のホルダ３3 からＣＤ４3 を取り出しディスク再生部６にセットさせてローディングを行わせる（図５２（２）参照）。しかるのち、ディスク再生部６を制御してＴＯＣ情報を読み取らせ、内蔵メモリ１１のＴＯＣ情報記憶領域（図示せず）に記憶し、当該ＴＯＣ情報を参照してディスク再生部６を制御し、最初の曲の先頭位置をサーチさせ、サーチ後、再生を開始させる。再生中、コントロール部１０はディスク再生部６からサブコードを入力して現在の再生位置を監視し、最後の曲の最後尾まで再生が終わったならばディスク再生部６を制御し再生動作を停止させる。そして、ローディング部７を制御し、ディスク再生部６にセットされたＣＤ４3 を交換位置に在るホルダ３3 に収納させてアンローディングを行わせる（図５３（１）参照）。
【０００９】
このあとユーザが操作部９でディスクナンバ１５を選択入力したとき、前述と同様にしてＣＤ４15が収納されたホルダ３15が交換位置に来るように回転移動し（図５３（２）参照）、ローディング部７を制御し、ＣＤ４15をホルダ３15から取り出しディスク再生部６にセットさせる（図５４（１）参照）。そして、ディスク再生部６にＴＯＣ情報を読み取らせて記憶したあと、最初の曲の先頭から再生を開始させる。最後の曲の最後尾まで再生が終わったならば再生を停止させ、ローディング部７を制御し、ディスク再生部６にセットされているＣＤ４15を交換位置に在る元のホルダ３15に収納させる（図５４（２）参照）。
【００１０】
【発明が解決しようとする課題】
ここでＣＤ４15はＣＤ４3 とともにユーザが頻繁に聴取するＣＤであったとしても、ＣＤ４15の収納されたホルダ３15は前回聴取したＣＤ４3 の収納されたホルダ３3 から離れているため、ディスクナンバ１５の選択入力をしたあと、交換位置のホルダが３3 から３15に変わるまでロータリストッカー１を暫く回転しなければならず、ユーザは所望ＣＤ４15の再生が開始されるまで長く待たされるという問題があった。
本発明は上記した従来技術の問題に鑑み、所望の記録媒体を速やかに再生させることのできるチェンジャー式記録媒体再生装置を提供することを、その目的とする。
【００１１】
【課題を解決するための手段】
本発明の請求項１記載のチェンジャー式記録媒体再生装置では、所定の情報を記録した記録媒体を収納するホルダが周方向に多数配置された記録媒体収納手段と、記録媒体の再生を行う再生手段と、記録媒体収納手段を周方向に回転し、所望のホルダを所定の交換位置に移動する回転手段と、記録媒体収納手段の内、所定の交換位置に有るホルダから記録媒体を取り出し、再生手段にセットするローディングを行ったり、再生手段にセットされている記録媒体を記録媒体収納手段の内、所定の交換位置に有るホルダに収納させるアンローディングを行ったりするローディング手段と、或る所望記録媒体の再生が指示されると、回転手段を制御して所望記録媒体の収納された或るホルダを所定の交換位置に移動させ、続いてローディング手段を制御して所定の交換位置に有る当該或るホルダから所望の記録媒体を取り出し再生手段にセットさせ、再生手段を制御して記録媒体の再生をさせる再生制御手段と、を備えたチェンジャー式記録媒体再生装置において、記録媒体収納手段に収納済の各記録媒体別に再生回数を計測して記憶する再生回数計測手段と、記録媒体収納手段に収納済の各記録媒体を、記録媒体収納手段の先頭ホルダ近傍から該先頭ホルダより略１８０°反対側の中間ホルダ近傍まで再生回数の多い順に記録媒体が収納された状態となるように並べ替え、かつ、先頭ホルダが所定の交換位置で待機した状態とする並べ替え手段と、を備えたことを特徴としている。
請求項１によれば、記録媒体収納手段の先頭ホルダ近傍から該先頭ホルダより略１８０°反対側の中間ホルダ近傍まで再生回数の多い順に記録媒体が収納された状態となるように並べ替えるとともに、先頭ホルダが所定の交換位置で待機する。よって、ユーザが或る記録媒体の再生を指示したとき、該所望記録媒体の収納された所望ホルダは先頭近くに存在する確率がかなり高く、所望ホルダを所定の交換位置へ移動するのに要する平均的な時間が非常に短くて済み、再生開始までの平均的な待ち時間がかなり短くなる。
本発明の請求項２記載のチェンジャー式記録媒体再生装置では、記録媒体収納手段の全ホルダを、先頭ホルダから該先頭ホルダより略１８０°反対側の第１中間ホルダまでの第１群と、当該第１中間ホルダの次の第２中間ホルダから最後尾ホルダまでの第２群とに分けておき、第１群のホルダに収納済の各記録媒体を、第１群内で先頭ホルダから第１中間ホルダまでより最新に再生された記録媒体がより先頭に近いホルダに収納された状態となるように並べ替え、第２群のホルダに収納済の各記録媒体を、第２群内で最後尾ホルダから第２中間ホルダまでより最新に再生された記録媒体がより最後尾に近いホルダに収納された状態となるように並べ替え、かつ、先頭ホルダまたは最後尾ホルダを所定の交換位置で待機状態とする並べ替え手段を備えたこと、を特徴としている。
請求項２によれば、先頭ホルダ又は最後尾ホルダから、時計回りに見ても反時計回りに見ても、最新に再生した記録媒体が先頭ホルダ又は最後尾ホルダに近いホルダに収納された状態となるように並べ替えられるとともに先頭ホルダ又は最後尾ホルダが所定の交換位置で待機する。最近再生させた記録媒体は時間を置かずに再び再生させる場合が多く、ユーザが或る記録媒体の再生を指示したとき、該所望記録媒体の収納された所望ホルダは先頭近く又は最後尾近くに存在する確率がかなり高く、所望ホルダを所定の交換位置へ移動するのに要する平均的な時間が非常に短くて済み、再生開始までの平均的な待ち時間がかなり短くなる。
【００１２】
【発明の実施の形態】
次に、本発明の第１の原理を図１を参照して説明する。
図１はチェンジャー式ＣＤプレーヤの構成を示すブロック図であり、図５１と同一の構成部分には同一の符号が付してある。
１はロータリストッカーであり、中心の回転軸２の回りに回転自在に構成されており、周方向に等間隔おいて多数のＷ個のホルダ３1 〜３W が設けられている。各ホルダ３j は１枚のＣＤ４i （ｉは１〜Ｗの整数）を出し入れ自在に直立姿勢で収納する。各ホルダ３j は固有のホルダナンバｊにより区別されるが、ここでは時計方向に順に１からＷまで割り当てられているものとする。５は後述するコントロール部の制御に従いロータリストッカー１を時計方向（ＣＷ方向）または反時計方向（ＣＣＷ方向）に回転する回転部、６はＣＤ４i を再生して音楽信号を出力したり、サブコードを読み取るディスク再生部である。
【００１３】
７Ａはロータリストッカー１とディスク再生部６の間に設けられた第１ローディング部であり、ロータリストッカー１の任意の１つのホルダ３j が丁度対向する位置（第１交換位置。図１の破線Ａ参照）に在る状態で、コントロール部の制御に従い、当該ホルダ３j に収納されたＣＤ４i に向けて、ロータリストッカー１の外側の所定の待機位置からクランプアーム（図示せず）を進出させ、ＣＤ４i をクランプアームでクランプしながら取り出し、ディスク再生部６にセットし、しかるのちクランプを解放し所定の待機位置にクランプアームを退避させることでローディングを行ったり、反対にディスク再生部６にセットされたＣＤ４i に向けて待機位置からクランプアームを進出させ、クランプアームでクランプしながら取り出し、ロータリストッカー１の第１交換位置に在るホルダ３j に挿入し、しかるのちクランプを解放し所定の待機位置にクランプアームを退避させることでアンローディングを行う。
【００１４】
１３はロータリストッカー１の外部に設けられて１枚のＣＤを収納自在なダミーホルダ、１４はロータリストッカー１とダミーホルダ１３の間に設けられた第２ローディング部であり、ロータリストッカー１の任意の１つのホルダ３j が丁度対向する位置（第２交換位置。図１の破線Ｂ参照）に在る状態で、コントロール部の制御に従い、当該ホルダ３j に収納されたＣＤ４i に向けて、ロータリストッカー１の外側の所定の待機位置からクランプアーム（図示せず）を進出させ、ＣＤ４i をクランプアームでクランプしながら取り出し、ダミーホルダ１３にセットし、しかるのちクランプを解放し所定の待機位置にクランプアームを退避させることでローディングを行ったり、反対にダミーホルダ１３にセットされたＣＤ４i に向けて待機位置からクランプアームを進出させ、クランプアームでクランプしながら取り出し、ロータリストッカー１の第２交換位置に在るホルダ３j に挿入し、しかるのちクランプを解放し所定の待機位置にクランプアームを退避させることでアンローディングを行う。
なお、図１のチェンジャー式ＣＤプレーヤでは第１交換位置と第２交換位置は丁度、ホルダ間隔の６倍離れており、第１交換位置に丁度先頭ホルダ３1 が来たとき、第２交換位置にホルダ３7 が来るようになっているものとする（図１参照）。
【００１５】
８は回転パルス発生部であり、ロータリストッカー１が回転して任意のホルダ３j が第１ローディング部７Ａに対向する位置（第１交換位置。図１の破線Ａ参照）に来る度に１個のパルスを出力する。９は操作部であり、ディスクナンバを選択入力するためのテンキーを有し、所望ＣＤの再生指示操作を行う。１０Ａはマイコン構成のコントロール部であり、プレーヤの全体的な制御を行う。すなわち、ユーザにより再生すべきＣＤ４i が指示されると、回転部５を制御して該当するホルダナンバｊのホルダ３j が第１交換位置に来るようにロータリストッカー１を回転させたあと、第１ローディング部７Ａを制御して所望ＣＤ４i をホルダ３j からディスク再生部６にローディングさせる。しかるのち、ディスク再生部６を制御して所望ＣＤ４i を再生させる。所望ＣＤ４i の全曲の再生が終われば、第１ローディング部７Ａを制御して所望ＣＤ４i をディスク再生部６から第１交換位置に在るホルダ３j にアンローディングさせる。
【００１６】
また、コントロール部１０Ａはロータリストッカー１に収納済の各ＣＤ４1 〜４K の別に、再生回数を計数して内蔵メモリ１１Ａのディスク管理情報記憶領域１２Ａ（図４〜図７参照）に記憶しておき、或る所望ＣＤ４i の再生が終わったときにロータリストッカー１の先頭ホルダから再生回数の多い順に各ホルダに収納された状態になっていれば待機制御として回転部５を制御して先頭ホルダ３1 が第１交換位置に来るようにロータリストッカー１を回転させて待機状態とさせる。これと異なり、或る所望ＣＤ４i の再生が終わったときにロータリストッカー１の先頭ホルダから再生回数の多い順に各ホルダ３j に収納された状態になっていなければ、所定の並べ替え制御をして、先頭ホルダから再生回数の多い順に各ホルダにＣＤが収納された状態としたあと、先頭ホルダ３1 を第１交換位置に来させて待機状態とさせる。これにより、ユーザが或るＣＤ４i の再生を指示したとき、該所望ＣＤ４i の収納された所望ホルダ３j は先頭近くに存在する確率が高くなり、所望ホルダ３j を第１交換位置へ移動するのに要する平均的な時間が短くて済み、再生開始までの平均的な待ち時間が短くなる。
【００１７】
図２と図３はコントロール部１０Ａによる制御処理を示すフローチャート、図４〜図７はコントロール部１０Ａの内蔵メモリ１１Ａのディスク管理情報記憶領域１２Ａの記憶内容の説明図、図８〜図１５はディスクの移動動作の説明図であり、以下、これらの図を参照して本発明の第１の原理を説明する。
なお、図１では説明の便宜上、Ｗ＝２４としてあり、ロータリストッカー１にはホルダナンバ１から２４までの各ホルダ３1 〜３24にそれぞれＣＤが収納済であるとし、また、ホルダ３1 が第１ローディング部７Ａに丁度対向する位置（第１交換位置。図１の破線Ａ参照）に来ているものとする。
【００１８】
（１）初期化
最初にコントロール部１０Ａはホルダナンバ１〜２４のホルダ３1 〜３24に収納された各ＣＤのディスクナンバを各々１〜２４としてディスク管理情報記憶領域１２Ａに登録し、またホルダ３1 〜３24に収納された全ＣＤの再生回数として０をディスク管理情報記憶領域１２Ａに登録して初期化する（図２のステップＳ１０、Ｓ１１。図４（１）参照）。そして、先頭のホルダ３1 が第１交換位置（図１の破線Ａ参照）に在るかチェックし（ステップＳ１２）、ＮＯであれば待機制御として、回転部５を制御し、先頭のホルダ３1 を第１交換位置まで回転させるが（ステップＳ１３）、ここではＹＥＳなので、次のステップＳ１４へ進む。
【００１９】
（２−１）或る所望ＣＤの１回目の再生と並べ替え
ユーザが例えばＣＤ４3 を聴取したい場合、操作部９の所望ＣＤ選択用のテンキーで所望ＣＤのディスクナンバ３を入力し、所望ＣＤの再生指示操作をする。コントロール部１０Ａは入力ディスクナンバを再生対象ディスクナンバＰとして内蔵メモリ１１Ａの作業領域（図示せず）に登録し（ステップＳ１４、Ｓ１５）、ディスク管理情報記憶領域１２Ａを参照して再生対象ディスクナンバのＣＤが収納されたホルダのホルダナンバＱを探す。Ｑ＝３となる（ステップＳ１６。図４（１）参照）。
次に、回転部５を制御し、ホルダ３3 が第１交換位置（第１ローディング部７Ａに丁度対向する位置）に来るように回転移動する（ステップＳ１７。図５２（１）参照）。具体的には、回転前に交換位置に有るホルダから、所望ＣＤの収納されているホルダまで、時計方向（ＣＷ）と反時計方向（ＣＣＷ）の内、いずれの回転の方が近いか判別し、判別した方向をＸとし、またＸ方向にホルダ間隔の何倍離れているか計算し、Ｙ倍とする。そして、回転部５を制御し、ロータリストッカー１をＸ方向へ回転させ、回転パルス検出部８からＹ個パルスが出力された時点で回転部５を制御し回転を停止させる。
【００２０】
次に、第１ローディング部７Ａを制御し、第１交換位置のホルダ３3 からＣＤ４3 を取り出しディスク再生部６にセットさせてローディングを行わせる（ステップＳ１８。図５２（２）参照）。そして、ディスク管理情報記憶領域１２Ａの中にホルダナンバＱ＝３（ディスクナンバＰ＝３）に対応付けて記憶された再生回数を１つ増やす（ステップＳ１９。図４（２）参照）。しかるのち、ディスク再生部６を制御してＴＯＣ情報を読み取らせ、内蔵メモリ１１ＡのＴＯＣ情報記憶領域（図示せず）に記憶し、当該ＴＯＣ情報を参照してディスク再生部６を制御し、最初の曲の先頭位置をサーチさせ、サーチ後、再生を開始させる（ステップＳ２０）。再生中、コントロール部１０Ａはディスク再生部６からサブコードを入力して現在の再生位置を監視し、最後の曲の最後尾まで再生が終わったならばディスク再生部６を制御して再生動作を停止させる（ステップＳ２１、Ｓ２２）。
【００２１】
所望ＣＤの再生が終わると、コントロール部１０Ａは並べ替え制御をする。まずまだ所望ＣＤがディスク再生部６に在る状態で（図８（１）参照）、Ｑ＝１かチェックし（図３のステップＳ３０）、仮にＹＥＳであれば、元のホルダ３1 にディスクを戻すだけで先頭ホルダ３1 から最後尾ホルダ３24まで再生回数順に並ぶので、第１ローディング部７Ａを制御し、ディスク再生部６からＣＤを第１交換位置に在るホルダにアンローディングさせるが（ステップＳ３１）、ここではＮＯなので、次のようにして、先頭ホルダ３1 から最後尾ホルダ３24まで再生回数多い順に収納された状態となるように並べ替える。
【００２２】
すなわち、まずディスク管理情報記憶領域１２Ａを参照して、ロータリストッカー１の先頭ホルダ３1 から今回再生したＣＤ４3 の収納されていたホルダより１つ先頭寄りのホルダ３2 までの中に、今回再生したＣＤ４3 より再生回数の少ないＣＤの収納されたものが在るかチェックする（ステップＳ３２）。ホルダ３1 と３2 が該当するのでＹＥＳと判断し、続いて、先頭ホルダ３1 から今回再生したＣＤ４3 の収納されていたホルダより１つ先頭寄りのホルダ３2 まで昇順に順番に見ていき、今回再生したＣＤ４3 より再生回数の少ない最初のＣＤの収納されたホルダのホルダナンバＲと当該ＣＤのディスクナンバＳを探す（ステップＳ３３）。Ｒ＝１、Ｓ＝１となる。次に、回転部５を制御し、ホルダ３1 が第２交換位置（第２ローディング部１４に丁度対向する位置。図１の破線Ｂ参照）に来るように回転移動する（図８（２）参照）。続いて、第２ローディング部１４を制御し、第２交換位置のホルダ３1 からＣＤ４1 を取り出しダミーホルダ１３に収納させてローディングを行わせる（ステップＳ３４。図９（１）参照）。次に、回転部５を制御し、ホルダ３3 が第２交換位置に来るように回転移動する（図９（２）参照）。続いて、第２ローディング部１４を制御し、ダミーホルダ１３からＣＤ４1 を取り出し第２交換位置のホルダ３3 に収納させてアンローディングを行わせる（ステップＳ３５。図１０（１）参照）。このあと、回転部５を制御し、ホルダ３1 が第１交換位置に来るように回転移動する（図１０（２）参照）。続いて、第１ローディング部７Ａを制御し、ディスク再生部６からＣＤ４3 を取り出し第１交換位置のホルダ３1 に収納させてアンローディングを行わせる（ステップＳ３６。図１１（１）参照）。
【００２３】
そして、ディスク管理情報記憶領域１２Ａの内、ホルダナンバＱ＝３に対応付けて記憶されていたディスクナンバ及び再生回数と、ホルダナンバＲ＝１に対応付けて記憶されていたディスクナンバ及び再生回数を入れ替える（ステップＳ３７。図５（１）参照）。このようにして並べ替え制御を行ったあと、図２のステップＳ１２に戻り、現在先頭ホルダ３1 が第１交換位置に来ているかチェックし、ＮＯであれば、回転部５を制御し、ホルダ３1 が第１交換位置に来るように回転移動して待機状態とさせるが（ステップＳ１３）、ここではステップＳ１２でＹＥＳとなるのでステップＳ１４に進む。
【００２４】
（２−２）他の所望ＣＤの１回目の再生と並べ替え
次にユーザがＣＤ４12を聴取したい場合、操作部９で所望ディスクナンバ１２を入力する。すると、コントロール部１０Ａは前述と同様にして、ＣＤ４12の収納されたホルダ３12を第１交換位置に回転移動させ、ホルダ３12からＣＤ４12を取り出しディスク再生部６にセットさせ、ＣＤ４12の再生回数を１つ増やしたあと、１曲目の先頭から最終曲の最後まで再生させる（ステップＳ１４〜Ｓ２２。図５（２）参照、図１１（２）参照）。ＣＤ４12の再生が終わるとＱ＝１かチェックし（図３のステップＳ３０）、今回もＮＯなので、ディスク管理情報記憶領域１２Ａを参照して、先頭ホルダ３1 から今回再生したＣＤ４12の収納されていたホルダより１つ先頭寄りのホルダ３11までの中に、今回再生したＣＤ４12より再生回数の少ないＣＤの収納されたものが在るかチェックする（ステップＳ３２）。ホルダ３2 〜３11が該当するのでＹＥＳと判断し、続いて、先頭ホルダ３1 から今回再生したＣＤ４12の収納されていたホルダより１つ先頭寄りのホルダ３11まで昇順に順番に見ていき、今回再生したＣＤ４12より再生回数の少ない最初のＣＤの収納されたホルダのホルダナンバＲと当該ＣＤのディスクナンバＳを探す（ステップＳ３３）。Ｒ＝２、Ｓ＝２となる。
【００２５】
次に、ホルダ３2 が第２交換位置に来るように回転移動させ、ホルダ３2 からＣＤ４2 を取り出しダミーホルダ１３に収納させる（ステップＳ３４）。次に、ホルダ３12が第２交換位置に来るように回転移動させ、ダミーホルダ１３からＣＤ４2 を取り出し第２交換位置のホルダ３12に収納させる（ステップＳ３５）。このあと、ホルダ３2 が第１交換位置に来るように回転移動させ、ディスク再生部６からＣＤ４12を取り出し第１交換位置のホルダ３2 に収納させる（ステップＳ３６。図１２（１）参照）。そして、ディスク管理情報記憶領域１２Ａの内、ホルダナンバＱ＝１２に対応付けて記憶されていたディスクナンバ及び再生回数と、ホルダナンバＲ＝２に対応付けて記憶されていたディスクナンバ及び再生回数を入れ替える（ステップＳ３７。図６（１）参照）。このようにして並べ替え制御をした後、図２のステップＳ１２の側に戻り、ホルダ３1 が第１交換位置に来るように回転移動させる（ステップＳ１３。図１２（２）参照）。
【００２６】
（２−３）更に他の所望ＣＤの１回目の再生と並べ替え
次にユーザがＣＤ４20を聴取したい場合、操作部９で所望ディスクナンバ２０を入力する。すると、コントロール部１０Ａは前述と同様にして、ＣＤ４20の収納されたホルダ３20を第１交換位置に回転移動させ、ホルダ３20からＣＤ４20を取り出しディスク再生部６にセットさせ、ＣＤ４20の再生回数を１つ増やしたあと、１曲目の先頭から最終曲の最後まで再生させる（図２のステップＳ１４〜Ｓ２２）。ＣＤ４20の再生が終わるとＱ＝１かチェックし（図３のステップＳ３０）、ＮＯなので、ディスク管理情報記憶領域１２Ａを参照して、先頭ホルダ３1 から今回再生したＣＤ４20の収納されていたホルダより１つ先頭寄りのホルダ３19までの中に、今回再生したＣＤ４20より再生回数の少ないＣＤの収納されたものが在るかチェックする（ステップＳ３２）。ホルダ３3 〜３19が該当するのでＹＥＳと判断し、続いて、先頭ホルダ３1 から今回再生したＣＤ４20の収納されていたホルダより１つ先頭寄りのホルダ３19まで昇順に順番に見ていき、今回再生したＣＤ４20より再生回数の少ない最初のＣＤの収納されたホルダのホルダナンバＲと当該ＣＤのディスクナンバＳを探す（ステップＳ３３）。Ｒ＝３、Ｓ＝１となる。
【００２７】
次に、ホルダ３3 が第２交換位置に来るように回転移動させ、ホルダ３3 からＣＤ４1 を取り出しダミーホルダ１３に収納させ（ステップＳ３４）、次に、ホルダ３20が第２交換位置に来るように回転移動させる。続いて、ダミーホルダ１３からＣＤ４1 を取り出しホルダ３20に収納させる（ステップＳ３５）。このあと、ホルダ３3 が第１交換位置に来るように回転移動させる。続いて、ディスク再生部６からＣＤ４20を取り出しホルダ３3 に収納させる（ステップＳ３６）。そして、ディスク管理情報記憶領域１２Ａの内、ホルダナンバＱ＝２０に対応付けて記憶されていたディスクナンバ及び再生回数と、ホルダナンバＲ＝３に対応付けて記憶されていたディスクナンバ及び再生回数を入れ替える（ステップＳ３７。図６（２）参照）。このあと、図２のステップＳ１２の側に戻り、ホルダ３1 が第１交換位置に来るように回転移動させる（図１３（１）参照）。
【００２８】
（２−４）或る所望ＣＤの２回目の再生と並べ替え
このあと、ユーザがＣＤ４12を再び聴取したい場合、操作部９で所望ディスクナンバ１２を入力する。コントロール部１０Ａは前述と同様にして、ＣＤ４12の収納されたホルダ３2 を第１交換位置に回転移動させ（ステップＳ１４〜Ｓ１７。図１３（２）参照）、ホルダ３2 からＣＤ４12を取り出しディスク再生部６にセットさせ、ＣＤ４12の再生回数を１つ増やしたあと、１曲目の先頭から再生を開始させる（ステップＳ１８〜Ｓ２０。図１４（１）参照）。ここで、ＣＤ４12は事前に再生回数順での並べ替えにより、先頭ホルダ３1 の隣のホルダ３2 に移っていたので、所望ＣＤの収納されたホルダの第１交換位置への移動は短時間で終わり、ユーザは所望ＣＤの選択操作後、長く待たされることなく聴取できる。ＣＤ４12の最終曲の最後まで再生が終われば、再生動作を停止させる（ステップＳ２１、Ｓ２２）。続いてＱ＝１かチェックし（図３のステップＳ３０）、ＮＯなので、ディスク管理情報記憶領域１２Ａを参照して、先頭ホルダ３1 から今回再生したＣＤ４12の収納されていたホルダより１つ先頭寄りのホルダ（＝３1 ）までの中に、今回再生したＣＤ４12より再生回数の少ないＣＤの収納されたものが在るかチェックする（ステップＳ３２）。ホルダ３1 が該当するのでＹＥＳと判断し、続いて、先頭ホルダ３1 から今回再生したＣＤ４12の収納されていたホルダより１つ先頭寄りのホルダまで昇順に順番に見ていき、今回再生したＣＤ４12より再生回数の少ない最初のＣＤの収納されたホルダのホルダナンバＲと当該ＣＤのディスクナンバＳを探す（ステップＳ３３）。Ｒ＝１、Ｓ＝３となる。
【００２９】
次に、ホルダ３1 が第２交換位置に来るように回転移動させ、ホルダ３1 からＣＤ４3 を取り出しダミーホルダ１３に収納させる（ステップＳ３４）。次に、ホルダ３2 が第２交換位置に来るように回転移動し、ダミーホルダ１３からＣＤ４3 を取り出しホルダ３2 に収納させる（ステップＳ３５）。このあと、ホルダ３1 が第１交換位置に来るように回転移動させ、ディスク再生部６からＣＤ４12を取り出しホルダ３1 に収納させる（ステップＳ３６。図１４（２）参照）。そして、ディスク管理情報記憶領域１２Ａの内、ホルダナンバＱ＝２に対応付けて記憶されていたディスクナンバ及び再生回数と、ホルダナンバＲ＝１に対応付けて記憶されていたディスクナンバ及び再生回数を入れ替える（ステップＳ３７。図７（１）参照）。このあと、図２のステップＳ１２に戻り、現在先頭ホルダ３1 が第１交換位置に来ているかチェックし、ＹＥＳであり既に待機状態にあるのでステップＳ１４に進む。
【００３０】
（２−５）他の所望ＣＤの２回目の再生と並べ替え
このあと、ユーザがＣＤ４3 を再び聴取したい場合、操作部９で所望ディスクナンバ３を入力する。コントロール部１０Ａは前述と同様にして、ＣＤ４3 の収納されたホルダ３2 を第１交換位置に回転移動させる。続いて、ホルダ３2 からＣＤ４3 を取り出しディスク再生部６にセットさせ、ＣＤ４3 の再生回数を１つ増やしたあと（図７（２）参照）、１曲目の先頭から再生を開始させる（ステップＳ１４〜Ｓ２０。図１５（１）参照）。ここで、ＣＤ４3 は事前になされた再生回数順での並べ替えにより、先頭ホルダ３1 の隣のホルダ３2 に移っているので、所望ＣＤの収納されたホルダの第１交換位置への移動は短時間で終わり、ユーザは所望ＣＤの選択操作後、長く待たされることなく聴取できる。
【００３１】
ＣＤ４3 の最終曲の最後まで再生が終われば、再生動作を停止させる（ステップＳ２１、Ｓ２２）。そして、Ｑ＝１でないので（図３のステップＳ３０でＮＯ）、ディスク管理情報記憶領域１２Ａを参照して、先頭ホルダ３1 から今回再生したＣＤ４3 の収納されていたホルダより１つ先頭寄りのホルダまでの中に、今回再生したＣＤ４3 より再生回数の少ないＣＤの収納されたものが在るかチェックする（ステップＳ３２）。今度はＮＯとなるので、ディスク再生部６からＣＤ４3 を第１交換位置のホルダ３2 に戻させる（ステップＳ３１）。このあと、図２のステップＳ１２の側戻り、先頭ホルダ３1 を第１交換位置に移動させる（ステップＳ１３。図１５（２）参照）。
以下、ユーザがディスクナンバを選択入力して所望ＣＤの再生を指示する度に、コントロール部１０Ａは、所望ＣＤを再生させた後、ロータリストッカー１のホルダ３1 〜３24に、ＣＤ４1 〜ＣＤ４24が再生回数の多い順に収納された状態となるように並べ替えたあと、先頭ホルダ３1 を第１交換位置に移動させて待機状態とする。
【００３２】
図１のチェンジャー式ＣＤプレーヤによれば、或るＣＤの再生が終わると、コントロール部１０Ａの並べ替え制御と待機制御により、ロータリストッカー１に収納されたＣＤ４1 〜ＣＤ４24は先頭ホルダ３1 から３24まで、再生回数の多い順に並んだ状態となり、かつ、先頭ホルダ３1 が第１交換位置に来た所で待機した状態となる。よって、その後、ユーザが或る所望ＣＤを選択したとき、該所望ＣＤは再生回数の多いＣＤであり、当該所望ＣＤの収納された所望ホルダが先頭近くに存在する確率が高い。従って、所望ＣＤの収納された所望ホルダを第１交換位置へ移動するのに要する平均的な時間が短くて済み、再生開始までの平均的な待ち時間が短くなる。
【００３３】
上記した図１のチェンジャー式ＣＤプレーヤでは、並べ替え制御により、先頭ホルダ３1 から最後尾ホルダ３24まで昇順に順番に見て、再生回数の多い順に並んだ状態となるようにしたが、本発明の第１の実施の形態では、ロータリストッカー１の全ホルダを、先頭ホルダ３1 から該先頭ホルダ３1 より１８０°反対側近くのホルダ（以下、「第１中間ホルダ」という）３12までの第１群と、第１中間ホルダ３12の１つ後寄りのホルダ（以下、「第２中間ホルダ」という）３13から最後尾ホルダ３24までの第２群とに分けておき、先頭ホルダ３1 から第１中間ホルダ３12まで昇順に順番に見て再生回数の多い順に並んだ状態となるようにするとともに、最後尾ホルダ３24から第２中間ホルダ３13まで降順に順番に見て再生回数の多い順に並んだ状態となるようにする。このようにすれば、ロータリストッカー１の上で、先頭ホルダ３1 の近傍から、該先頭ホルダ３1 より１８０°反対側近傍のホルダまで、時計回りと反時計回りのいずれで見てもほぼ再生回数の多い順に並ぶことになり、再生回数の多いＣＤを先頭ホルダの近くにより集中させることができ、所望ＣＤの再生が指示されてから再生が開始するまでの平均的な待ち時間をより短くできる。
【００３４】
具体的には、図２と図３の制御処理の内、図３を図１６の如く変形すれば良い。ここで図２と図１６の組み合わせによる再生制御処理を簡単に説明する。
（３−１）第１群に属するＣＤの１回目の再生及び並び替え
図２のステップＳ１０〜Ｓ１３の処理後、ユーザが操作部９で第１群に属する例えばディスクナンバ３を選択入力すると、コントロール部１０Ａは前述と同様にして、ディスクナンバ３のＣＤ４3 の収納されているホルダのホルダナンバＱを探し、Ｑ＝３なので、ＣＤ４3 の収納されたホルダ３3 を第１交換位置に回転移動させ、ホルダ３3 からＣＤ４3 を取り出しディスク再生部６にセットさせ、ホルダナンバ３に対応付けられた再生回数を１つ増やしたあと１曲目から最終曲まで再生させる（ステップＳ１４〜Ｓ２２。図５２（１）、図５２（２）、図４（２）参照）。そして、図１６のステップＳ４０に進み、Ｑ＝１又は２４かチェックする。仮にＹＥＳであれば、ディスク再生部６に有るＣＤをそのまま第１交換位置に有る元のホルダに戻すだけで、第１群は先頭ホルダ３1 から昇順に順番に見て再生回数の多い順に各ＣＤが収納された状態となり、第２群は最後尾ホルダ３24から降順に順番に見て再生回数の多い順に各ＣＤが収納された状態となるので、ディスク再生部６にセットされたＣＤを第１交換位置に有るホルダにアンローディングさせれば良い（ステップＳ４１）。
【００３５】
但し、ここではステップＳ４０でＮＯとなるので、続いて、Ｑは２〜１２のいずれかかチェックし（ステップＳ４２）、ＹＥＳなので、ディスク管理情報記憶領域１２Ａを参照し、第１群の先頭ホルダ３1 から今回再生したＣＤ４3 の収納されていたホルダより１つ先頭寄りのホルダ３2 までの中に、今回再生したＣＤ４3 より再生回数の少ないディスクが存在するかチェックする（ステップＳ４３）。ＹＥＳなので、先頭ホルダ３1 からホルダ３2 まで昇順に順番に見ていき、今回再生したＣＤ４3 より再生回数の少ない最初のＣＤの収納されたホルダのホルダナンバＲと当該ＣＤのディスクナンバＳを探す（ステップＳ４４）。Ｒ＝１、Ｓ＝１なので、ホルダ３1 が第２交換位置に来るように回転移動させ、ホルダ３1 からＣＤ４1 を取り出しダミーホルダ１３に収納させ、次に、ホルダ３3 が第２交換位置に来るように回転移動させ、ダミーホルダ１３からＣＤ４1 を取り出し第２交換位置のホルダ３3 に収納させる（ステップＳ４５、Ｓ４６。図８（２）、図９（１）、図９（２）、図１０（１）参照）。このあと、ホルダ３1 が第１交換位置に来るように回転移動させ、ディスク再生部６からＣＤ４3 を取り出し第１交換位置のホルダ３1 に収納させる（ステップＳ４７。図１０（２）、図１１（１）参照）。そして、ディスク管理情報記憶領域１２Ａの内、ホルダナンバＱ＝３に対応付けて記憶されていたディスクナンバ及び再生回数と、ホルダナンバＲ＝１に対応付けて記憶されていたディスクナンバ及び再生回数を入れ替える（ステップＳ４８。図５（１）参照）。このようにして並べ替え制御をした後、図２のステップＳ１２の側に戻る。
【００３６】
次に、ユーザが操作部９で第１群に属するディスクナンバ１２を選択入力すると、コントロール部１０Ａは前述と同様にして、ホルダ３12に収納されたＣＤ４12を第１交換位置に回転移動後、ディスク再生部６にセットさせ、ホルダナンバ１２に対応付けられた再生回数を１つ増やしたあと１曲目から最終曲まで再生させる（ステップＳ１４〜Ｓ２２。図１１（２）、図５（２）参照）。そして、ホルダ３2 に収納されたＣＤ４2 をホルダ３12に移し替え、ディスク再生部６のＣＤ４12をホルダ３2 に収納させる（ステップＳ４０、Ｓ４２〜Ｓ４７。図１２（１）参照）。そして、ディスク管理情報記憶領域１２Ａの内、ホルダナンバＱ＝１２に対応付けて記憶されていたディスクナンバ及び再生回数と、ホルダナンバＲ＝２に対応付けて記憶されていたディスクナンバ及び再生回数を入れ替え後（ステップＳ４８。図６（１）参照）、ホルダ３1 を第１交換位置に移動させる（ステップＳ１２、Ｓ１３。図１２（２）参照）。
【００３７】
（３−２）第２群に属するＣＤの１回目の再生及び並び替え
その後、ユーザが操作部９で第２群に属する例えばディスクナンバ２０を選択入力すると、コントロール部１０Ａは前述と同様にして、ディスクナンバ２０のＣＤ４20の収納されているホルダのホルダナンバＱを探し、Ｑ＝２０なので、ホルダ３20を第１交換位置に回転移動させ、ホルダ３20からＣＤ４20を取り出しディスク再生部６にセットさせ、ホルダナンバ２０に対応付けられた再生回数を１つ増やしたあと１曲目から最終曲まで再生させる（ステップＳ１４〜Ｓ２２）。そして、図１６のステップＳ４０に進み、Ｑ＝１又は２４かチェックする。ＮＯなので続いてＱは２〜１２のいずれかかチェックし（ステップＳ４２）、ここでもＮＯなので、ディスク管理情報記憶領域１２Ａを参照し、第２群の最後尾ホルダ３24から今回再生したＣＤ４20の収納されていたホルダより１つ最後尾寄りのホルダ３21までの中に、今回再生したＣＤ４20より再生回数の少ないディスクが存在するかチェックする（ステップＳ４９）。ＹＥＳなので、最後尾ホルダ３24からホルダ３21まで降順に順番に見ていき、今回再生したＣＤ４20より再生回数の少ない最初のＣＤの収納されたホルダのホルダナンバＲと当該ＣＤのディスクナンバＳを探す（ステップＳ５０）。Ｒ＝２４、Ｓ＝２４なので、ホルダ３24が第２交換位置に来るように回転移動させ、ホルダ３24からＣＤ４24を取り出しダミーホルダ１３に収納させ、次に、ホルダ３20が第２交換位置に来るように回転移動させ、ダミーホルダ１３からＣＤ４24を取り出し第２交換位置のホルダ３20に収納させる（ステップＳ４５、Ｓ４６）。このあと、ホルダ３24が第１交換位置に来るように回転移動させ、ディスク再生部６からＣＤ４20を取り出しホルダ３24に収納させる（ステップＳ４７）。そして、ディスク管理情報記憶領域１２Ａの内、ホルダナンバＱ＝２０に対応付けて記憶されていたディスクナンバ及び再生回数と、ホルダナンバＲ＝２４に対応付けて記憶されていたディスクナンバ及び再生回数を入れ替える（ステップＳ４８。図１７（１）参照）。このようにして並べ替え制御をした後、図２のステップＳ１２の側に戻り、ホルダ３1 を第１交換位置へ回転移動させる（ステップＳ１３。図１８（１）参照）。
【００３８】
次に、ユーザが操作部９で第２群に属するディスクナンバ１８を選択入力すると、コントロール部１０Ａは前述と同様にして、ホルダ３18に収納されたＣＤ４18を第１交換位置に回転移動後、ディスク再生部６にセットさせ、ホルダナンバ１８に対応付けられた再生回数を１つ増やしたあと１曲目から最終曲まで再生させる（図２のステップＳ１４〜Ｓ２２）。そして、ホルダ３23に収納されたＣＤ４23をホルダ３18に移し替え、ディスク再生部６のＣＤ４18をホルダ３23に収納させる（ステップＳ４０、Ｓ４２、Ｓ４９、Ｓ５０、Ｓ４５〜Ｓ４７）。そして、ディスク管理情報記憶領域１２Ａの内、ホルダナンバＱ＝１８に対応付けて記憶されていたディスクナンバ及び再生回数と、ホルダナンバＲ＝２３に対応付けて記憶されていたディスクナンバ及び再生回数を入れ替え後（ステップＳ４８。図１７（２）参照）、ホルダ３1 を第１交換位置に移動させる（ステップＳ１２、Ｓ１３。図１８（２）参照）。
【００３９】
（３−３）第１群又は第２群に属するＣＤの２回目の再生
上記の如くして、ユーザがディスクナンバ３、１２、２０、１８のＣＤ４3 、４12、４20、４18を順に１回ずつ再生させると、各々ホルダ３1 、３2 、３24、３23に並べ替えられるので、皆、先頭ホルダ３1 のごく近傍に収納される。例えば、ＣＤ４18と第１交換位置との間隔はホルダ２つだけである。図１〜図１５に示した本発明の第１の原理説明用のチェンジャー式ＣＤプレーヤで同じくＣＤ４3 、４12、４20、４18を順に１回ずつ再生させた場合は、各々ホルダ３1 、３2 、３3 、３4 に並べ替えられるので、例えば、ＣＤ４18と第１交換位置との間隔はホルダ３つ分となる。
よって、図２、図１６の組み合わせの場合、例えば、ユーザが操作部９でディスクナンバ１８の２回目の選択入力をしたとき、当該所望ＣＤ４18の収納されたホルダ３23をホルダ２つ分だけ回転移動させれば第１交換位置に来るので、直ぐにディスク再生部６にセットさせて再生を開始させることができることになる（図２のステップＳ１４〜Ｓ２０）。同様に、ユーザが操作部９でディスクナンバ１２の２回目の選択入力をしたときも、当該所望ＣＤ４12の収納されたホルダ３2 をホルダ１つ分だけ回転移動させれば第１交換位置に来るので、直ぐにディスク再生部６にセットさせて再生を開始させることができる。
【００４０】
このように図２、図６の組み合わせによる本発明の第１の実施の形態によれば、ロータリストッカー１に収納された２４枚のＣＤ４1 〜４24は、先頭ホルダ３1 の近傍から、該先頭ホルダ３1 より１８０°反対側のホルダ３13の近傍まで、時計回りと反時計回りのいずれで見てもほぼ再生回数の多い順に並ぶことになり、再生回数の多いＣＤを先頭ホルダ３1 の近くにより集中させることができ、所望ＣＤの再生が指示されてから再生が開始するまでの平均的な待ち時間をより短くできる。なお、図２と図６を組み合わせた第１の実施の形態においてステップＳ１２の処理を最後尾ホルダ３24は第１交換位置に在るかの判断に変更し、ＮＯの場合のステップＳ１３の処理を、最後尾ホルダ３24を第１交換位置に移動することに変更することで、待機制御により最後尾ホルダ３24を第１交換位置に移動させるように変えても良い。
【００４１】
ところで、図１〜図１５に示した本発明の第１の原理説明用のチェンジャー式ＣＤプレーヤでは、或るＣＤを再生し終わると、直ぐに並べ替え制御を行うようにしたが、或るＣＤを再生し終わったあと、続けてユーザが前回聴取したのと同じまたは前回とは異なる所望ディスクナンバを選択して再生指示操作をする場合も多い。そこで、或るＣＤを再生し終わったあと、該或るＣＤがディスク再生部にセットされたままの状態で、所定の一定時間Ｔ（Ｔは例えば５〜１０分）の間に所望ＣＤの選択操作がされたか判別し、ＹＥＳのときは該所望ＣＤを再生させる制御をしてユーザが待ち時間なく所望ディスクの聴取を可能とする一方、所定の一定時間Ｔの間に所望ＣＤの選択操作がされなかったときは並べ替え制御と待機制御をし、次にユーザが任意の所望ＣＤの選択操作をしたとき、短い待ち時間で再生可能とするようにしても良い。
【００４２】
具体的には、図２、図３の再生制御処理を例えば図１９、図２０の如く変形すれば良い。次にこれら図１９、図２０による本発明の第１の原理の変形例に基づく再生制御動作を説明する。
（４−１）所望ＣＤの１回目の再生
図１９のステップＳ１０〜Ｓ１３の処理後（図２のステップＳ１０〜Ｓ１３と全く同様）、ユーザが操作部９の所望ＣＤ選択用のテンキーで例えばディスクナンバ３を入力すると、コントロール部１０Ａは再生対象ディスクナンバＰ＝３とし、ディスク管理情報記憶領域１２Ａを参照して所望ＣＤの収納されたホルダのホルダナンバＱを探す。Ｑ＝３となる。次に、回転部５を制御し、ホルダ３3 が第１交換位置に来るように回転移動し、続いて第１ローディング部７Ａを制御し、第１交換位置のホルダ３3 からＣＤ４3 を取り出しディスク再生部６にセットさせてローディングを行わせ、Ｑに対応付けて記憶された再生回数を１つ増やしたのち、ディスク再生部６を制御し、１曲目から最終曲まで再生させる（ステップＳ１４〜Ｓ２２。図５２（１）、図５２（２）、図４（２）参照）。
【００４３】
（４−２）所望ＣＤの２回目の再生
所望ＣＤの再生が終わると、コントロール部１０Ａは所定の一定時間Ｔ（Ｔはここでは５分とする）の間に操作部９で所望ＣＤ選択用のテンキーで所望ディスクナンバの選択入力がされたかチェックする（図２０のステップＳ６０）。ユーザが今回聴取したＣＤを時間を空けずに再度聴取したいと思い、今回の再生が終わってから５分以内に再度、操作部９で所望ディスクナンバ３の選択入力を行うと、コントロール部１０ＡはステップＳ６０でＹＥＳと判断し、選択ディスクナンバ３をＰ´として内蔵メモリ１１Ａの作業領域（図示せず）に登録したあと、Ｐ＝Ｐ´かチェックする（ステップＳ６１、Ｓ６２）。仮にＮＯであれば、第１ローディング部７Ａを制御し、ディスク再生部６に在るＣＤ４3 を第１交換位置に在る元のホルダ３3 に戻し（ステップＳ６３）、Ｐ´でＰを書き換え後（ステップＳ６４）、図１９のステップＳ１６に進み、前述と同様にして所望ＣＤの収納された所望ホルダを第１交換位置へ回転し、所望ホルダから所望ＣＤをディスク再生部６にローディングし、所望ＣＤに対応付けて記憶された再生回数を１つ増やしたのち、再生させる（Ｓ１７〜Ｓ２２）。但し、ここでは、ステップＳ６２でＹＥＳとなるので、図１９のステップＳ１９に進み、Ｑに対応付けて記憶された再生回数を１つ増やしたのち、所望ＣＤがディスク再生部６にセットされた状態のままディスク再生部６を制御し、直ちに１曲目から最終曲まで再生させる（ステップＳ２０〜Ｓ２２。図８（１）、図２１（１）参照）。よって、ユーザはロータリストッカー１の回転時間分とホルダからディスク再生部６へのローディング時間分だけ待たなくても直ぐに所望ＣＤ４3 の２回目の聴取ができる。
【００４４】
ＣＤ４3 の２回目の再生が終わったあと、ユーザが５分以上、操作部９で所望ディスクナンバの選択操作をしなかった場合、コントロール部１０Ａは図２０のステップＳ６０でＮＯと判断し、第１ローディング部７Ａを制御し、ディスク再生部６にセットされたＣＤ４3 を元のホルダ３3 に戻させたあと（ステップＳ６５。図２４（１）参照）、先頭ホルダ３1 から最後尾ホルダ３24までＣＤが再生回数順に収納された状態となるように並べ替え制御をする。最初にＱ＝１かチェックする（ステップＳ６６）。仮にＹＥＳであれば、既に先頭ホルダ３1 から最後尾ホルダ３24まで各ＣＤが再生回数順に収納された状態となっているのでそのまま図１９のステップＳ１２に戻るが、ここではステップＳ６６でＮＯとなるので、続いてディスク管理情報記憶領域１２Ａを参照し、先頭ホルダ３1 から今回再生したＣＤの収納されたホルダの１つ前のホルダ３2 までの中に、今回再生したディスクより再生回数の少ないものが有るかチェックする（ステップＳ６７）。仮にＮＯであれば既に先頭ホルダ３1 から最後尾ホルダ３24まで各ＣＤが再生回数順に収納された状態となっているのでそのまま図１９のステップＳ１２に戻るが、ここではホルダ３1 が該当するためＹＥＳと判断し、以下の手順で並べ替えをする。
【００４５】
まず、先頭ホルダ３1 から今回再生したＣＤの収納されたホルダの１つ前のホルダ３2 まで昇順に順番に見て、今回再生したＣＤより再生回数の少ない最初のＣＤの収納されたホルダのホルダナンバＲと当該ＣＤのディスクナンバＳを探す（ステップＳ６８）。Ｒ＝１、Ｓ＝１となる。次に、それまでホルダナンバ（Ｑ−１）＝２〜Ｒ＝１までに収納されていたＣＤを、各々１つ後ろのホルダに入れ替えるとともに今回再生したＣＤをホルダナンバＲ＝１のホルダ３1 に収納させることで先頭ホルダ３1 から最後尾ホルダ３24まで再生回数順にＣＤが収納された状態とさせる。具体的には、まずＱとＲの差をＫとし（Ｋ＝２となる）、またｋ＝１としたあと（ステップＳ６９）、回転部５を制御し、今回再生したＣＤ４3 の収納されたホルダ３3 を第２交換位置に移動させ（図２４（２）参照）、第２ローディング部１４を制御し、ホルダ３3 からＣＤ４3 をダミーホルダ１３にローディングさせる（ステップＳ７０。図２５（１）参照）。次に、回転部５を制御し、今回再生したＣＤ４3 の収納されていたホルダより１つ手前のホルダ３2 を第１交換位置に移動させたあと（図２５（２）参照）、第１ローディング部７Ａを制御し、ホルダ３2 からＣＤ４2 をディスク再生部６にローディングさせる（ステップＳ７１。図２６（１）参照）。
【００４６】
次に、回転部５を制御し、今回再生したＣＤ４3 の収納されていたホルダ３3 を第１交換位置に移動させたあと（図２６（２）参照）、第１ローディング部７Ａを制御し、ディスク再生部６にセットされたＣＤ４2 をホルダ３3 に収納させる（ステップＳ７２。図２７（１）参照）。そして、ｋがＫに達したかチェックし（ステップＳ７３）、ＮＯなのでｋをインクリメントして２としたあと（ステップＳ７４）、ステップＳ７１に戻り、今回再生したＣＤ４3 の収納されていたホルダより２つ手前のホルダ３1 を第１交換位置に移動させたあと、ホルダ３1 からＣＤ４1 をディスク再生部６にローディングさせる。続いて、今回再生したＣＤ４3 の収納されていたホルダの１つ手前のホルダ３2 を第１交換位置に移動させたあと、ディスク再生部６にセットされたＣＤ４1 をホルダ３2 に収納させる（ステップＳ７２。図２７（２）参照）。そして、ｋがＫに達したかチェックし（ステップＳ７３）、ＹＥＳなので回転部５を制御しホルダ３R ＝３1 を第２交換位置に移動させ、第２ローディング部１４を制御し、ダミーホルダ１３に収納されたＣＤ４3 をホルダ３1 に収納させる（ステップＳ７５。図２８（１）参照）。
【００４７】
そして、ディスク管理情報記憶領域１２Ａの内、ホルダナンバ１と２に対応付けて記憶されていたディスクナンバ及び再生回数を、各々ホルダナンバ２と３のディスクナンバ及び再生回数とし、ホルダナンバＱ＝３に対応付けて記憶されていたディスクナンバ及び再生回数を、ホルダナンバＲ＝１に対応付けて記憶させる（ステップＳ７６。図２１（２）参照）。このようにして並べ替え制御を行ったあと、図１９のステップＳ１２に戻り、現在先頭ホルダ３1 が第１交換位置に来ているかチェックし、ＮＯなので、回転部５を制御し、ホルダ３1 が第１交換位置に来るように回転移動して待機状態とさせる（ステップＳ１３。図２８（２）参照）。
【００４８】
（４−３）他の所望ＣＤの１回目の再生と並べ替え
次にユーザがＣＤ４12を聴取したい場合、操作部９で所望ディスクナンバ１２を入力する。すると、コントロール部１０Ａは前述と同様にして、ＣＤ４12の収納されたホルダ３12を第１交換位置に回転移動させ、ホルダ３12からＣＤ４12を取り出しディスク再生部６にセットさせ、ＣＤ４12の再生回数を１つ増やしたあと、１曲目の先頭から最終曲の最後まで再生させる（ステップＳ１４〜Ｓ２２。図２９（１）参照）。ＣＤ４12の再生が終わり、一定時間Ｔの間にディスクナンバの選択操作がなければ（図２０のステップＳ６０でＮＯ）、ディスク再生部６からＣＤ４12を元のホルダ３12に戻させたあと、Ｑ＝１かチェックし（ステップＳ６５、Ｓ６６）、今回もＮＯなので、ディスク管理情報記憶領域１２Ａを参照して、先頭ホルダ３1 から今回再生したＣＤ４12の収納されていたホルダより１つ先頭寄りのホルダ３11までの中に、今回再生したＣＤ４12より再生回数の少ないＣＤの収納されたものが在るかチェックする（ステップＳ６７）。ホルダ３2 〜３11が該当するのでＹＥＳと判断し、続いて、先頭ホルダ３1 からホルダ３11まで昇順に順番に見ていき、今回再生したＣＤ４12より再生回数の少ない最初のＣＤの収納されたホルダのホルダナンバＲと当該ＣＤのディスクナンバＳを探す（ステップＳ６８）。Ｒ＝２、Ｓ＝２となる。
【００４９】
次に、前述と同様にして、ホルダ３12からＣＤ４12をダミーホルダ１３に一時的に収納させたあと（ステップＳ６９、Ｓ７０。図２９（２）参照）、ホルダ３11〜３2 に収納されていたＣＤ４11〜４4 、４2 、４1 を各々ホルダ３12〜３3 に１つずつずらし（ステップＳ７１〜Ｓ７４。図３０（１）参照）、最後にダミーホルダ１３のＣＤ４12をホルダ３2 に収納させる（ステップＳ７５）。そして、ディスク管理情報記憶領域１２Ａの内、ホルダナンバＲ＝２〜（Ｑ−１）＝１１に対応付けて記憶されていたディスクナンバ及び再生回数を、各々ホルダナンバＲ＝３〜Ｑ＝１２に対応付けて記憶させるとともに、ホルダナンバＱ＝１２に対応付けて記憶されていたディスクナンバ及び再生回数を、ホルダナンバＲ＝２に対応付けて記憶させる（ステップＳ７６。図２２（１）参照）。このようにして並べ替え制御をした後、図１９のステップＳ１２の側に戻り、回転部５を制御し、ホルダ３1 が第１交換位置に来るように回転移動して待機状態とさせる（ステップＳ１３。図３０（２）参照）。
【００５０】
（４−４）更に他の所望ＣＤの１回目の再生と並べ替え
次にユーザがＣＤ４20を聴取したい場合、操作部９で所望ディスクナンバ２０を入力する。すると、コントロール部１０Ａは前述と同様にして、ＣＤ４20の収納されたホルダ３20を第１交換位置に回転移動させ、ホルダ３20からＣＤ４20を取り出しディスク再生部６にセットさせ、ＣＤ４20の再生回数を１つ増やしたあと、１曲目の先頭から最終曲の最後まで再生させる（図１９のステップＳ１４〜Ｓ２２）。ＣＤ４20の再生が終わり、一定時間Ｔの間にディスクナンバの選択操作がなければ（図２０のステップＳ６０でＮＯ）、ディスク再生部６からＣＤ４20を元のホルダ３20に戻させたあと、Ｑ＝１かチェックし（ステップＳ６５、Ｓ６６）、今回もＮＯなので、ディスク管理情報記憶領域１２Ａを参照して、先頭ホルダ３1 から今回再生したＣＤ４20の収納されていたホルダより１つ先頭寄りのホルダ３19までの中に、今回再生したＣＤ４20より再生回数の少ないＣＤの収納されたものが在るかチェックする（ステップＳ６７）。ホルダ３3 〜３19が該当するのでＹＥＳと判断し、続いて、先頭ホルダ３1 からホルダ３19まで昇順に順番に見ていき、今回再生したＣＤ４20より再生回数の少ない最初のＣＤの収納されたホルダのホルダナンバＲと当該ＣＤのディスクナンバＳを探す（ステップＳ６８）。Ｒ＝３、Ｓ＝１となる。
【００５１】
次に、前述と同様にして、ホルダ３20からＣＤ４20をダミーホルダ１３に一時的に収納させたあと（ステップＳ６９、Ｓ７０）、ホルダ３19〜３3 に収納されていたＣＤ４19〜４13、４11〜４4 、４2 、４1 を各々ホルダ３20〜３4 に１つずつずらし、最後にダミーホルダ１３のＣＤ４20をホルダ３3 に収納させる（ステップＳ７１〜Ｓ７５）。そして、ディスク管理情報記憶領域１２Ａの内、ホルダナンバＲ＝３〜（Ｑ−１）＝１９に対応付けて記憶されていたディスクナンバ及び再生回数を、各々ホルダナンバＲ＝４〜Ｑ＝２０に対応付けて記憶させるとともに、ホルダナンバＱ＝２０に対応付けて記憶されていたディスクナンバ及び再生回数を、ホルダナンバＲ＝３に対応付けて記憶させる（ステップＳ７６。図２２（２）参照）。このようにして並べ替え制御をした後、図１６のステップＳ１２の側に戻り、ホルダ３1 が第１交換位置に来るように回転移動させて待機状態とさせる（ステップＳ１３。図３１（１）参照）。
【００５２】
（４−５）所望ＣＤの２回目の再生と並べ替え
このあとユーザが再度ＣＤ４20を聴取するため操作部９でディスクナンバ２０を選択入力すると、コントロール部１０ＡはＣＤ４20の収納されたホルダ３3 を第１交換位置に回転移動させ、ホルダ３3 からＣＤ４20を取り出しディスク再生部６にセットさせ、ＣＤ４20の再生回数を１つ増やしたあと、１曲目の先頭から最終曲の最後まで再生させる（図１９のステップＳ１４〜Ｓ２２）。この際、事前に所望ＣＤが先頭ホルダ近くに並べ替えられているので、所望ＣＤの収納されたホルダを第１交換位置へ短時間で移動でき、所望ＣＤの再生開始までユーザが長く待たなくて済む。
【００５３】
ＣＤ４20の再生が終わり、一定時間Ｔの間にディスクナンバの選択操作がなければ（図２０のステップＳ６０でＮＯ）、ディスク再生部６からＣＤ４20を元のホルダ３3 に戻させたあと、Ｑ＝１かチェックし（ステップＳ６５、Ｓ６６）、ＮＯなので、ディスク管理情報記憶領域１２Ａを参照して、先頭ホルダ３1 から今回再生したＣＤ４20の収納されていたホルダより１つ先頭寄りのホルダ３2 までの中に、今回再生したＣＤ４20より再生回数の少ないＣＤの収納されたものが在るかチェックする（ステップＳ６７）。ホルダ３2 が該当するので、続いて、先頭ホルダ３1 からホルダ３2 まで昇順に順番に見ていき、今回再生したＣＤ４20より再生回数の少ない最初のＣＤの収納されたホルダのホルダナンバＲと当該ＣＤのディスクナンバＳを探す（ステップＳ６８）。Ｒ＝２、Ｓ＝１２となる。
【００５４】
次に、前述と同様にして、ホルダ３3 からＣＤ４20をダミーホルダ１３に一時的に収納させたあと（ステップＳ６９、Ｓ７０）、ホルダ３2 に収納されていたＣＤ４12をホルダ３3 に１つずらし、最後にダミーホルダ１３のＣＤ４20をホルダ３2 に収納させる（ステップＳ７１〜Ｓ７５）。そして、ディスク管理情報記憶領域１２Ａの内、ホルダナンバＲ＝２に対応付けて記憶されていたディスクナンバ及び再生回数を、各々ホルダナンバＱ＝３に対応付けて記憶させるとともに、ホルダナンバＱ＝３に対応付けて記憶されていたディスクナンバ及び再生回数を、ホルダナンバＲ＝２に対応付けて記憶させる（ステップＳ７６。図２３（１）参照）。そしてホルダ３1 が第１交換位置に来るように回転移動させて待機状態とさせる（ステップＳ１２、Ｓ１３。図３１（２）参照）。
【００５５】
（４−６）所望ＣＤの３回目の再生と並べ替え
このあとユーザが再度ＣＤ４3 を聴取するため操作部９でディスクナンバ３を選択入力すると、コントロール部１０ＡはＣＤ４3 の収納されたホルダ３1 を第１交換位置に回転移動させようとするが、既に移動済なのでステップＳ１４ではなにもせずステップＳ１５へ進み、ホルダ３1 からＣＤ４3 を取り出しディスク再生部６にセットさせ、ＣＤ４3 の再生回数を１つ増やしたあと（図２３（２）参照）、１曲目の先頭から最終曲の最後まで再生させる（ステップＳ１６〜Ｓ２２）。この際、事前に所望ＣＤが先頭ホルダに並べ替えられているので、所望ＣＤの収納されたホルダを第１交換位置へ移動しなくて済、所望ＣＤの再生開始までユーザが長く待たなくて済む。
【００５６】
ＣＤ４3 の再生が終わり、一定時間Ｔの間にディスクナンバの選択操作がなければ（図２０のステップＳ６０でＮＯ）、ディスク再生部６からＣＤ４3 を元のホルダ３1 に戻させたあと、Ｑ＝１かチェックし（ステップＳ６５、Ｓ６６）、ＹＥＳであり、既に先頭ホルダ３1 から最後尾ホルダ３24まで再生回数の多い順に収納された状態となっているので、そのまま図１９のステップＳ１２へ戻る（図３１（２）参照）。
【００５７】
図１９、図２０による本発明の第１の原理の変形例によっても、或るＣＤの再生が終わると、コントロール部１０Ａの並べ替え制御と待機制御により、ロータリストッカー１に収納されたＣＤ４1 〜ＣＤ４24は先頭ホルダ３1 から３24まで、再生回数の多い順に並んだ状態となり、かつ、先頭ホルダ３1 が第１交換位置に来た所で待機した状態となる。よって、その後、ユーザが或る所望ＣＤを選択したとき、該所望ＣＤは再生回数の多いＣＤであって当該所望ＣＤの収納された所望ホルダが先頭近くに存在する確率が高い。従って、所望ＣＤの収納された所望ホルダを第１交換位置へ移動するのに要する平均的な時間が短くて済み、再生開始までの平均的な待ち時間が短くなる。また、或るＣＤを再生し終わったあと直ぐに今回再生した所望ＣＤをディスク再生部６からロータリストッカー１へ戻すことはせず、一定時間内に前回聴取したのと同じＣＤの再生指示操作がされたときは、ディスク再生部６を制御してそのまま所望ＣＤの再度の再生をさせるようにしたので、同じＣＤを連続して聴取したい場合に、待ち時間なく再生させることができる。
【００５８】
なお、図１９、図２０による本発明の第１の原理の変形例では、並べ替え制御により、先頭ホルダ３1 から最後尾ホルダ３24まで昇順に順番に見て、再生回数の多い順に並んだ状態となるようにしたが、本発明の第１の実施の形態の変形例としては、図２、図１６の組み合わせと同様に、ロータリストッカー１の全ホルダを、先頭ホルダ３1 から該先頭ホルダ３1 より１８０°反対側近くのホルダ（以下、「第１中間ホルダ」という）３12までの第１群と、第１中間ホルダ３12の１つ後寄りのホルダ（以下、「第２中間ホルダ」という）３13から最後尾ホルダ３24までの第２群とに分けておき、先頭ホルダ３1 から第１中間ホルダ３12まで昇順に順番に見て再生回数の多い順に並んだ状態となるようにするとともに、最後尾ホルダ３24から第２中間ホルダ３13まで降順に順番に見て再生回数の多い順に並んだ状態となるようにする。このようにすれば、先頭ホルダ３1 の近傍から、該先頭ホルダ３1 より１８０°反対側近傍のホルダまで、時計回りと反時計回りのいずれで見てもほぼ再生回数の多い順に並ぶことになり、再生回数の多いＣＤを先頭ホルダの近くにより集中させることができ、所望ＣＤの再生が指示されてから再生が開始するまでの平均的な待ち時間をより短くできる。
【００５９】
具体的には、図１９と図２０の制御処理の内、図２０を図３２、図３３の如く変形すれば良い。ここで図１９、図３２、図３３の組み合わせによる本発明の第１の実施の形態の変形例の制御処理を簡単に説明する。
（５−１）第１群に属する所望ＣＤの１回目の再生及び並び替え
図１９のステップＳ１０〜Ｓ１３の処理後、ユーザが操作部９で第１群に属する例えばディスクナンバ３を選択入力すると、コントロール部１０Ａは前述と同様にして、ディスクナンバ３のＣＤ４3 の収納されているホルダのホルダナンバＱを探し、Ｑ＝３なので、ＣＤ４3 の収納されたホルダ３3 を第１交換位置に回転移動させ、ホルダ３3 からＣＤ４3 を取り出しディスク再生部６にセットさせ、ホルダナンバ３に対応付けられた再生回数を１つ増やしたあと１曲目から最終曲まで再生させる（ステップＳ１４〜Ｓ２２。図５２（１）、図５２（２）、図４（２）参照）。そして、図３２のステップＳ６０に進み、一定時間Ｔの間に操作部９で所望のディスクナンバの選択入力がされたかチェックし、ＹＥＳであればステップＳ６１の側へ進み、所望ＣＤを再生させるが（ステップＳ６２でＹＥＳ、図１９のステップＳ１９、Ｓ２０または、ステップＳ６２でＮＯ、Ｓ６３、Ｓ６４、図１９のステップＳ１６〜Ｓ２０）、ここではステップＳ６０でＮＯであったとすると、一旦、ＣＤ４3 を元のホルダ３3 に戻し（ステップＳ６５）、Ｑ＝１又は２４かチェックする（ステップＳ６６´）。仮にＹＥＳであれば、既に第１群は先頭ホルダ３1 から昇順に順番に見て再生回数の多い順に各ＣＤが収納された状態となり、第２群は最後尾ホルダ３24から降順に順番に見て再生回数の多い順に各ＣＤが収納された状態となっているので、図１９のステップＳ１２に戻れば良い。
【００６０】
但し、ここではステップＳ６６´でＮＯとなるので、続いて、Ｑは２〜１２のいずれかかチェックし（ステップＳ８０）、ＹＥＳなので、ディスク管理情報記憶領域１２Ａを参照し、第１群の先頭ホルダ３1 から今回再生したＣＤ４3 の収納されていたホルダより１つ先頭寄りのホルダ３2 までの中に、今回再生したＣＤ４3 より再生回数の少ないＣＤが存在するかチェックする（ステップＳ６７）。ＹＥＳなので、先頭ホルダ３1 からホルダ３2 まで昇順に順番に見ていき、今回再生したＣＤ４3 より再生回数の少ない最初のＣＤの収納されたホルダのホルダナンバＲと当該ＣＤのディスクナンバＳを探す（ステップＳ６８）。Ｒ＝１、Ｓ＝１なので、前述と同様にして、ホルダ３3 が第２交換位置に来るように回転移動させ、ホルダ３3 からＣＤ４3 を取り出しダミーホルダ１３に収納させておき、ホルダ３2 に収納されていたＣＤ４2 をホルダ３3 に移し替え、ホルダ３1 に収納されていたＣＤ４1 をホルダ３2 に移し替え、しかるのち、ホルダ３1 にＣＤ４3 を収納させる（ステップＳ６９〜７５）。そして、ディスク管理情報記憶領域１２Ａの内、ホルダナンバＲ＝１〜（Ｑ−１）＝２に対応付けて記憶されていたディスクナンバ及び再生回数を、各々ホルダナンバ（Ｒ＋１）＝２〜Ｑ＝３に対応付けて記憶させるとともに、ホルダナンバＱ＝３に対応付けて記憶されていたディスクナンバ及び再生回数を、ホルダナンバＲ＝１に対応付けて記憶させる（ステップＳ７６。図３４（１）参照）。このようにして並べ替え制御をした後、図１９のステップＳ１２の側に戻る。
【００６１】
次に、ユーザが操作部９で第１群に属するディスクナンバ１２を選択入力すると、コントロール部１０Ａは前述と同様にして、ホルダ３12に収納されたＣＤ４12を第１交換位置に回転移動後、ディスク再生部６にセットさせ、ホルダナンバ１２に対応付けられた再生回数を１つ増やしたあと１曲目から最終曲まで再生させる（ステップＳ１４〜Ｓ２２）。そして、ＣＤ４12の再生が終わったあと一定時間Ｔの間にユーザが所望のディスクナンバの選択入力をしなければ（図３２のステップＳ６０でＮＯ）、一旦ＣＤ４12を元のホルダ３12に戻させたあと（ステップＳ６５）、ステップＳ６６´、Ｓ８０、Ｓ６７のいずれもＹＥＳとなるので、先頭ホルダ３1 からホルダ３11まで昇順に順番に見ていき、今回再生したＣＤ４12より再生回数の少ない最初のＣＤの収納されたホルダのホルダナンバＲと当該ＣＤのディスクナンバＳを探す（ステップＳ６８）。Ｒ＝２、Ｓ＝１なので、前述と同様にして、ホルダ３12が第２交換位置に来るように回転移動させ、ホルダ３12からＣＤ４12を取り出しダミーホルダ１３に収納させておき、ホルダ３11〜３2 に収納されていたＣＤ４11〜４4 、４2 、４1 を各々ホルダ３12〜３3 に移し替え、しかるのち、ホルダ３2 にＣＤ４12を収納させる（ステップＳ６９〜７５）。そして、ディスク管理情報記憶領域１２Ａの内、ホルダナンバＲ＝２〜（Ｑ−１）＝１１に対応付けて記憶されていたディスクナンバ及び再生回数を、各々ホルダナンバ（Ｒ＋１）＝３〜Ｑ＝１２に対応付けて記憶させるとともに、ホルダナンバＱ＝１２に対応付けて記憶されていたディスクナンバ及び再生回数を、ホルダナンバＲ＝２に対応付けて記憶させる（ステップＳ７６。図３４（２）参照）。このようにして並べ替え制御をした後、図１９のステップＳ１２の側に戻り、先頭ホルダ３1 を第１交換位置まで回転移動させる（ステップＳ１３）。
【００６２】
（５−２）第２群に属する所望ＣＤの１回目の再生及び並び替え
その後、ユーザが操作部９で第２群に属する例えばディスクナンバ２０を選択入力すると、コントロール部１０Ａは前述と同様にして、ディスクナンバ２０のＣＤ４20の収納されているホルダのホルダナンバＱを探し、Ｑ＝２０なので、ホルダ３20を第１交換位置に回転移動させ、ホルダ３20からＣＤ４20を取り出しディスク再生部６にセットさせ、ホルダナンバ２０に対応付けられた再生回数を１つ増やしたあと１曲目から最終曲まで再生させる（図１９のステップＳ１４〜Ｓ２２）。そして、ＣＤ４20の再生が終わったあと一定時間Ｔの間にユーザが所望のディスクナンバの選択入力をしなければ（図３２のステップＳ６０でＮＯ）、一旦ＣＤ４20を元のホルダ３20に戻させたあと（ステップＳ６５）、Ｑ＝１又は２４かチェックする（ステップＳ６６´）。ＮＯなので続いて、Ｑは２〜１２のいずれかかチェックし（ステップＳ８０）、ここでもＮＯなので、図３３のステップＳ９０へ進み、ディスク管理情報記憶領域１２Ａを参照し、第２群の最後尾ホルダ３24から今回再生したＣＤ４20の収納されていたホルダより１つ最後尾寄りのホルダ３21までの中に、今回再生したＣＤ４20より再生回数の少ないディスクが存在するかチェックする。ＹＥＳなので、最後尾ホルダ３24からホルダ３21まで降順に順番に見ていき、今回再生したＣＤ４20より再生回数の少ない最初のＣＤの収納されたホルダのホルダナンバＲと当該ＣＤのディスクナンバＳを探す（ステップＳ９１）。Ｒ＝２４、Ｓ＝２４なので、ホルダ３20が第２交換位置に来るように回転移動させ、ホルダ３20からＣＤ４20を取り出しダミーホルダ１３に収納させておき、ホルダ３21〜ホルダ３24に収納されていたＣＤ４21〜ＣＤ４24を、各々ホルダ３20〜ホルダ３23に移し替え、しかるのち、ホルダ３24にＣＤ４20を収納させる（ステップＳ９２〜９８）。そして、ディスク管理情報記憶領域１２Ａの内、ホルダナンバ（Ｑ＋１）＝２１〜Ｒ＝２４に対応付けて記憶されていたディスクナンバ及び再生回数を、各々ホルダナンバＱ＝２０〜（Ｒ−１）＝２３に対応付けて記憶させるとともに、ホルダナンバＱ＝２０に対応付けて記憶されていたディスクナンバ及び再生回数を、ホルダナンバＲ＝２４に対応付けて記憶させる（ステップＳ９９。図３５（１）参照）。このようにして並べ替え制御をした後、図１９のステップＳ１２の側に戻り、先頭ホルダ３1 が第１交換位置に来るように回転移動させる（ステップＳ１３。図３６（１）参照）。
【００６３】
次に、ユーザが操作部９で第２群に属するディスクナンバ１８を選択入力すると、コントロール部１０Ａは前述と同様にして、ホルダ３18に収納されたＣＤ４18を第１交換位置に回転移動後、ディスク再生部６にセットさせ、ホルダナンバ１８に対応付けられた再生回数を１つ増やしたあと１曲目から最終曲まで再生させる（ステップＳ１４〜Ｓ２２）。そして、ＣＤ４18の再生が終わったあと一定時間Ｔの間にユーザが所望のディスクナンバの選択入力をしなければ（図３２のステップＳ６０でＮＯ）、一旦ＣＤ４18を元のホルダ３18に戻させたあと（ステップＳ６５）、ステップＳ６６´とＳ８８でＮＯ、ステップＳ９０でＹＥＳとなるので、最後尾ホルダ３24から今回再生したＣＤ４18の収納されていたより１つ最後尾寄りのホルダ３19まで降順に順番に見ていき、今回再生したＣＤ４18より再生回数の少ない最初のＣＤの収納されたホルダのホルダナンバＲと当該ＣＤのディスクナンバＳを探す（ステップＳ９１）。Ｒ＝２３、Ｓ＝２４なので、前述と同様にして、ホルダ３18が第２交換位置に来るように回転移動させ、ホルダ３18からＣＤ４18を取り出しダミーホルダ１３に収納させておき、ホルダ３19〜３23に収納されていたＣＤ４19、４21〜４24をホルダ３18〜３22に移し替え、しかるのち、ホルダ３23にＣＤ４18を収納させる（ステップＳ９２〜９８）。そして、ディスク管理情報記憶領域１２Ａの内、ホルダナンバ（Ｑ＋１）＝１９〜Ｒ＝２３に対応付けて記憶されていたディスクナンバ及び再生回数を、各々ホルダナンバＱ＝１８〜（Ｒ−１）＝２２に対応付けて記憶させるとともに、ホルダナンバＱ＝１８に対応付けて記憶されていたディスクナンバ及び再生回数を、ホルダナンバＲ＝２３に対応付けて記憶させる（ステップＳ９９。図３５（２）参照）。このようにして並べ替え制御をした後、図１９のステップＳ１２の側に戻り、先頭ホルダ３1 を第１交換位置まで回転移動させる（ステップＳ１３。図３６（２）参照）。
【００６４】
（５−３）第１群又は第２群に属する所望ＣＤの２回目の再生
上記の如くして、ユーザがディスクナンバ３、１２、２０、１８のＣＤ４3 、４12、４20、４18を順に１回ずつ再生させると、各々ホルダ３1 、３2 、３24、３23に並べ替えられるので、皆、先頭ホルダ３1 のごく近傍に収納される。例えば、ＣＤ４18と第１交換位置との間隔はホルダ２つだけである。図１９と図２０の組み合わせによる本発明の第１の原理の変形例で同じくＣＤ４3 、４12、４20、４18を順に１回ずつ再生させた場合は、各々ホルダ３1 、３2 、３3 、３4 に並べ替えられるので、例えば、ＣＤ４18と第１交換位置との間隔はホルダ３つ分となる。よって、図１９、図３２、図３３の組み合わせの場合、例えば、ユーザが操作部９でディスクナンバ１８の２回目の選択入力をしたとき、当該所望ＣＤ４18の収納されたホルダ３23をホルダ２つ分だけ回転移動させれば第１交換位置に来るので、直ぐにディスク再生部６にセットさせて再生を開始させることができることになる（図２のステップＳ１４〜Ｓ２０）。同様に、ユーザが操作部９でディスクナンバ１２の２回目の選択入力をしたときも、当該所望ＣＤ４12の収納されたホルダ３2 をホルダ１つ分だけ回転移動させれば第１交換位置に来るので、直ぐにディスク再生部６にセットさせて再生を開始させることができる。
【００６５】
このように図１９、図３２、図３３の組み合わせによる本発明の第１の実施の形態の変形例によれば、ロータリストッカー１に収納された２４枚のＣＤ４1 〜４24は、先頭ホルダ３1 の近傍から、該先頭ホルダ３1 より１８０°反対側のホルダ３13の近傍まで、時計回りと反時計回りのいずれで見てもほぼ再生回数の多い順に並ぶことになり、再生回数の多いＣＤを先頭ホルダ３1 の近くにより集中させることができ、所望ＣＤの再生が指示されてから再生が開始するまでの平均的な待ち時間をより短くできる。なお、図１９、図３２、図３３を組み合わせた第１の実施の形態の変形例において、図１９のステップＳ１２の処理を最後尾ホルダ３24は第１交換位置に在るかの判断に変更し、ＮＯの場合のステップＳ１３の処理を最後尾ホルダ３24を第１交換位置に移動することに変更することで、待機制御により最後尾ホルダ３24を第１交換位置に移動させるように変えても良い。
【００６６】
次に、本発明の第２の原理を図３７を参照して説明する。
図３７はチェンジャー式ＣＤプレーヤの構成を示すブロック図であり、図１と同一の構成部分には同一の符号が付してある。
１０Ｂはマイコン構成のコントロール部であり、ユーザにより再生すべきＣＤ４P が指示されると、回転部５を制御して所望ＣＤ４P を収納したホルダナンバＱのホルダ３Q が第１交換位置に来るようにロータリストッカー１を回転させたあと、第１ローディング部７Ａを制御して所望ＣＤ４P をホルダ３Q からディスク再生部６にローディングさせる。しかるのち、ディスク再生部６を制御して所望ＣＤ４P を再生させる。所望ＣＤ４P の全曲の再生が終われば、Ｑ＝１の場合、第１ローディング部７Ａを制御してＣＤ４P をホルダ３Q ＝３1 に戻し、Ｑ＝２の場合は回転部５、第２ローディング部１４、第１ローディング部７Ａを制御して、ホルダ３1 に収納されていたＣＤを３2 に移し替えたあとＣＤ４P をホルダ３1 に収納させるとともに先頭ホルダ３1 が第１交換位置に来るようにさせ、Ｑ≠１、２の場合はホルダ３Q-1 〜３1 に収納されていたＣＤを、各々ホルダ３Q 〜３2 に移し替えたあとＣＤ４P をホルダ３1 に収納させるとともに先頭ホルダ３1 が第１交換位置に来るようにさせる。これにより、より最新に再生したＣＤがより先頭ホルダ３1 の近くに収納された状態となり、かつ先頭ホルダ３1 が第１交換位置で待機する。最近再生させたＣＤは時間を置かずに再び再生させる場合が多く、ユーザが或るＣＤの再生を指示したとき、該所望ＣＤの収納された所望ホルダが先頭近くに存在する確率が高くなり、当該所望ホルダを第１交換位置へ回転移動するのに要する平均的な時間が短くて済み、再生開始までの平均的な待ち時間が短くなる。
図３７のチェンジャー式ＣＤプレーヤのその他の構成部分は図１と全く同様に構成されている。
【００６７】
図３８と図３９はコントロール部１０Ｂによる制御処理を示すフローチャート、図４０と図４１はコントロール部１０Ｂの内蔵メモリ１２Ｂのディスク管理情報記憶領域１２Ｂの記憶内容の説明図、図４２〜図４６４６はディスクの移動動作の説明図であり、以下、これらの図を参照して本発明の第２の原理を説明する。
最初にコントロール部１０Ｂはホルダナンバ１〜２４のホルダ３1 〜３24に収納された各ＣＤのディスクナンバを各々１〜２４としてディスク管理情報記憶領域１２Ｂに登録して初期化する（図３８のステップＳ１０）。そして、回転部５を制御し、先頭のホルダ３1 を第１交換位置まで回転させる（ステップＳ１２、Ｓ１３）。
【００６８】
（６−１）所望ＣＤの１回目の再生及び並び替え
ユーザが操作部９の所望ＣＤの選択用のテンキーで例えばディスクナンバ３を入力すると、コントロール部１０ＢはＰ＝３とし、ディスク管理情報記憶領域１２Ｂを参照して所望ＣＤの収納されたホルダのホルダナンバＱを探す。Ｑ＝３となる。次に、回転部５を制御し、ホルダ３3 が第１交換位置に来るように回転移動し、続いて第１ローディング部７Ａを制御し、第１交換位置のホルダ３3 からＣＤ４3 を取り出しディスク再生部６にセットさせてローディングを行わせたのち、ディスク再生部６を制御し、１曲目から最終曲まで再生させる（図３８のステップＳ１４〜Ｓ１８、Ｓ２０〜Ｓ２２。図５２（１）、図５２（２）参照）。
【００６９】
所望ＣＤの再生が終わると、コントロール部１０Ｂは所定の一定時間Ｔ（Ｔはここでは５分とする）の間に操作部９で所望ＣＤの選択用のテンキーで所望ディスクナンバの選択入力がされたかチェックする（図３９のステップＳ１００）。仮にユーザが今回聴取したＣＤを時間を空けずに再度聴取したいと思い、今回の再生が終わってから５分以内に再度、操作部９で所望ディスクナンバ３の選択入力を行ったとき、コントロール部１０ＢはステップＳ１００でＹＥＳと判断し、選択ディスクナンバ３をＰ´として内蔵メモリ１１Ｂの作業領域（図示せず）に登録したあと、Ｐ＝Ｐ´かチェックする（ステップＳ１０１、Ｓ１０２）。仮にステップＳ１０２でＹＥＳであれば図３８のステップＳ２０に戻り、直ちに１曲目から再生を開始させ、仮にステップＳ１０２でＮＯであれば、第１ローディング部７Ａを制御し、ディスク再生部６に在るＣＤ４3 を第１交換位置に在る元のホルダ３3 に戻し（ステップＳ１０３）、Ｐ´でＰを書き換え後（ステップＳ１０４）、図３８のステップＳ１６に進み、前述と同様にして所望ＣＤの収納された所望ホルダを第１交換位置へ回転し、所望ホルダから所望ＣＤをディスク再生部６にローディングしたのち、再生させる（Ｓ１７、Ｓ１８、Ｓ２０〜Ｓ２２）。
【００７０】
但し、ここではステップＳ１００でＮＯであったとすると、今回再生したＣＤを先頭へ移動させるための並べ替え制御を行う。すなわち、まずＱ＝１かチェックし（ステップＳ１０５）、ＹＥＳであればそのまま第１交換位置に在るホルダに戻せば最新に再生したＣＤを一番先頭ホルダ寄りに収納できるので、第１ローディング部７Ａを制御し、ディスク再生部６に在るＣＤ４3 を第１交換位置に在る元のホルダに戻し（ステップＳ１０６）、図３８のステップ１４に戻れば良い。但し、ここではステップＳ１０５でＮＯとなるので、今回再生したＣＤ４3 がディスク再生部６に在る状態のまま（図４２（１）参照）、回転部５を制御し、今回再生したＣＤの収納されていたホルダの１つ先頭寄りのホルダ３2 を第２交換位置へ回転移動し（図４２（２）参照）、第２ローディング部１４を制御し、ホルダ３2 に収納されたＣＤ３2 をダミーホルダ１３にローディングさせる（ステップＳ１０７、１０８。図４３（１）参照）。続いて、回転部５を制御し、今回再生したＣＤの収納されていたホルダ３3 を第２交換位置へ回転移動し（図４３（２）参照）、第２ローディング部１４を制御し、ダミーホルダ１３に収納されたＣＤ４2 をホルダ３3 にアンローディングさせる（ステップＳ１０９。図４４（１）参照）。そして、まだ先頭ホルダ３1 が空になっていないので（ステップＳ１１０でＮＯ）、回転部５を制御し、今回再生したＣＤの収納されていたホルダの２つ先頭寄りのホルダ３1 を第２交換位置へ回転移動し、第２ローディング部１４を制御し、ホルダ３1 に収納されたＣＤ３1 をダミーホルダ１３にローディングさせる（ステップＳ１１１、１０８）。
【００７１】
続いて、回転部５を制御し、先に空としたホルダ３2 を第２交換位置へ回転移動し、第２ローディング部１４を制御し、ダミーホルダ１３に収納されたＣＤ３1 をホルダ３2 にアンローディングさせる（ステップＳ１０９。図４４（２）参照）。すると先頭ホルダ３1 が空になるのでステップＳ１１０でＹＥＳと判断し、回転部５を制御し、ホルダ３1 を第１交換位置へ回転移動し、第１ローディング部７Ａを制御し、ディスク再生部６にセットされたＣＤ４3 をホルダ３1 にアンローディングさせる（ステップＳ１１２。図４５（１）参照）。この際、先頭ホルダ３1 は第１交換位置に来ているので、改めて待機制御しなくて済む。このようにして今回再生したＣＤ４3 を先頭ホルダ３1 へ移し替えるとともに先頭ホルダ３1 を第１交換位置に待機状態とさせたら、ディスク管理情報記憶領域１２Ｂの内、ホルダナンバ１と２に対応付けて記憶されていたディスクナンバを、各々ホルダナンバ２と３のディスクナンバとし、ホルダナンバＱ＝３に対応付けて記憶されていたディスクナンバを、ホルダナンバ１のディスクナンバとする（ステップＳ１１３。図４０（１）参照）。このようにして並べ替え制御を行ったあと、図３８のステップＳ１４に戻る。
【００７２】
（６−２）他の所望ＣＤの１回目の再生と並べ替え
次にユーザがＣＤ４12を聴取したい場合、操作部９で所望ディスクナンバ１２を入力する。すると、コントロール部１０Ｂは前述と同様にして、ＣＤ４12の収納されたホルダ３12を第１交換位置に回転移動させ、ホルダ３12からＣＤ４12を取り出しディスク再生部６にセットさせたあと、１曲目の先頭から最終曲の最後まで再生させる（図３８のステップＳ１４〜Ｓ１８、Ｓ２０〜Ｓ２２。図２９（１）参照）。ＣＤ４12の再生が終わり、一定時間Ｔの間にディスクナンバの選択操作がなければ（図３９のステップＳ１００でＮＯ）、Ｑ＝１でないので（ステップＳ１０５でＮＯ）、前述と同様にして、回転部５、第２ローディング部１４、第１ローディング部７Ａを制御し、ホルダ３11〜３1 に収納されていたＣＤ４11〜４4 、４2 、４1 、４3 を、１つずつ最後尾寄りのホルダ３12〜３2 に移し替え、ディスク再生部６にセットされたＣＤ４12をホルダ３1 に収納させる（ステップＳ１０７〜Ｓ１１２。図４５（２）参照）。そして、ディスク管理情報記憶領域１２Ｂの内、ホルダナンバ１〜１１に対応付けて記憶されていたディスクナンバを、各々ホルダナンバ２〜１２のディスクナンバとし、ホルダナンバＱ＝１２に対応付けて記憶されていたディスクナンバを、ホルダナンバ１のディスクナンバとする（ステップＳ１１３。図４０（２）参照）。このようにして並べ替え制御を行ったあと、図３８のステップＳ１４に戻る。
【００７３】
（６−３）更に他の所望ＣＤの１回目の再生と並べ替え
次にユーザがＣＤ４20を聴取したい場合、操作部９で所望ディスクナンバ２０を入力する。すると、コントロール部１０Ｂは前述と同様にして、ＣＤ４20の収納されたホルダ３20を第１交換位置に回転移動させ、ホルダ３20からＣＤ４20を取り出しディスク再生部６にセットさせ、ＣＤ４20の再生回数を１つ増やしたあと、１曲目の先頭から最終曲の最後まで再生させる（図３８のステップＳ１４〜Ｓ１８、Ｓ２０〜Ｓ２２）。ＣＤ４20の再生が終わり、一定時間Ｔの間にディスクナンバの選択操作がなければ（図３９のステップＳ１００でＮＯ）、Ｑ＝１でないので（ステップＳ１０５でＮＯ）、前述と同様にして、回転部５、第２ローディング部１４、第１ローディング部７Ａを制御し、ホルダ３19〜３1 に収納されていたＣＤ４19〜ＣＤ４13、４11〜４4 、４2 、４1 、４3 、４12を、１つずつ最後尾寄りのホルダ３20〜３2 に移し替え、ディスク再生部６にセットされたＣＤ４20をホルダ３1 に収納させる（ステップＳ１０７〜Ｓ１１２。図４６（１）参照）。そして、ディスク管理情報記憶領域１２Ｂの内、ホルダナンバ１〜１９に対応付けて記憶されていたディスクナンバを、各々ホルダナンバ２〜２０のディスクナンバとし、ホルダナンバＱ＝２０に対応付けて記憶されていたディスクナンバを、ホルダナンバ１のディスクナンバとする（ステップＳ１１３。図４１（１）参照）。このようにして並べ替え制御を行ったあと、図３８のステップＳ１４に戻る。
【００７４】
（６−４）所望ＣＤの２回目の再生と並べ替え
このあとユーザが再度ＣＤ４12を聴取するため操作部９でディスクナンバ１２を選択入力すると、コントロール部１０ＢはＣＤ４12の収納されたホルダ３2 を第１交換位置に回転移動させ、ホルダ３2 からＣＤ４12を取り出しディスク再生部６にセットさせたあと、１曲目の先頭から最終曲の最後まで再生させる（図３８のステップＳ１４〜Ｓ１８、Ｓ２０〜Ｓ２２）。この際、事前に所望ＣＤが先頭ホルダ近くに並べ替えられているので、所望ＣＤの収納されたホルダを第１交換位置へ短時間で移動でき、所望ＣＤの再生開始までユーザが長く待たなくて済む。
【００７５】
ＣＤ４12の２回目の再生が終わり、一定時間Ｔの間にディスクナンバの選択操作がなければ（図３９のステップＳ１００でＮＯ）、Ｑ＝１でないのでステップＳ１０５でＮＯと判断し、ホルダ３1 に収納されていたＣＤ４20を、１つ最後尾寄りのホルダ３2 に移し替え、ディスク再生部６にセットされたＣＤ４12をホルダ３1 に収納させる（ステップＳ１０７〜Ｓ１１０、Ｓ１１２。図４６（２）参照）。そして、ディスク管理情報記憶領域１２Ｂの内、ホルダナンバ１に対応付けて記憶されていたディスクナンバを、ホルダナンバ２のディスクナンバとし、ホルダナンバＱ＝２に対応付けて記憶されていたディスクナンバを、ホルダナンバ１のディスクナンバとする（ステップＳ１１３。図４１（２）参照）。このようにして並べ替え制御を行ったあと、図３８のステップＳ１４に戻る。
【００７６】
図３７のチェンジャー式ＣＤプレーヤによれば、ＣＤの最後になされるコントロール部１０Ｂにより並べ替え制御により、より最新に再生したＣＤがより先頭ホルダ３1 に近いホルダに収納された状態となるように並べ替えられるとともに先頭ホルダ３1 が第１交換位置で待機する。最近再生させたＣＤは時間を置かずに再び再生させる場合が多く、ユーザが或るＣＤの再生を指示したとき、該所望ＣＤの収納された所望ホルダは先頭近くに存在する確率が高く、所望ホルダを第１交換位置へ移動するのに要する平均的な時間が短くて済み、再生開始までの平均的な待ち時間が短くなる。
また、或るＣＤを再生し終わったあと直ぐに今回再生した所望ＣＤをディスク再生部６からロータリストッカー１へ戻すことはせず、一定時間Ｔの間に前回聴取したのと同じＣＤの再生指示操作がされたときは、ディスク再生部６を制御してそのまま所望ＣＤの再度の再生をさせるようにしたので、同じＣＤを連続して聴取したい場合に、待ち時間なく再生させることができる。
【００７７】
ところで、図３７に示したチェンジャー式ＣＤプレーヤでは、並べ替え制御により、先頭ホルダ３1 から最後尾ホルダ３24まで昇順に順番に見て、より最新に再生したＣＤがより先頭ホルダ近くに収納されるようにしたが、本発明の第２の実施の形態では、ロータリストッカー１の全ホルダを、先頭ホルダ３1 から該先頭ホルダ３1 より１８０°反対側近くのホルダ（以下、「第１中間ホルダ」という）３12までの第１群と、第１中間ホルダ３12の１つ後寄りのホルダ（以下、「第２中間ホルダ」という）３13から最後尾ホルダ３24までの第２群とに分けておき、先頭ホルダ３1 から第１中間ホルダ３12まで昇順に順番に見て、より最新に再生したＣＤがより先頭ホルダ近くに収納されるようにし、最後尾ホルダ３24から第２中間ホルダ３13まで降順に順番に見て、より最新に再生したＣＤがより最後尾ホルダ３24近くに収納されるようにし、かつ先頭ホルダ３1 又は最後尾ホルダ３24が第１交換位置で待機状態となるようにする。
このようにすれば、ロータリストッカー１の上で先頭ホルダ３1 又は最後尾ホルダ３24から、時計回りに見ても反時計回りに見ても、最新に再生したＣＤが先頭ホルダ３1 又は最後尾ホルダ３24に近いホルダに収納された状態となるように並べ替えられるとともに先頭ホルダ３1 又は最後尾ホルダ３24が所定の交換位置で待機する。最近再生させたＣＤは時間を置かずに再び再生させる場合が多く、ユーザが或るＣＤの再生を指示したとき、該所望ＣＤの収納された所望ホルダは先頭近く又は最後尾近くに存在する確率がかなり高く、所望ホルダを第１交換位置へ移動するのに要する平均的な時間が非常に短くて済み、再生開始までの平均的な待ち時間がかなり短くなる。
【００７８】
具体的には、図３８と図３９の制御処理の内、図３９の部分を図４７、図４８の如く変形すれば良い。ここで図３８、図４７、図４８の組み合わせによる制御処理を簡単に説明する。
（７−１）第１群に属する所望ＣＤの１回目の再生及び並び替え
図３８のステップＳ１０〜Ｓ１３の処理後、ユーザが操作部９で第１群に属する例えばディスクナンバ３を選択入力すると、コントロール部１０Ｂは前述と同様にして、ディスクナンバ３のＣＤ４3 の収納されているホルダのホルダナンバＱを探し、Ｑ＝３なので、ＣＤ４3 の収納されたホルダ３3 を第１交換位置に回転移動させ、ホルダ３3 からＣＤ４3 を取り出しディスク再生部６にセットさせたあと１曲目から最終曲まで再生させる（図３８のステップＳ１４〜Ｓ１８、Ｓ２０〜Ｓ２２。図５２（１）、図５２（２））。そして、図４７のステップＳ１００に進み、一定時間Ｔの間に操作部９で所望のディスクナンバの選択入力がされたかチェックし、ＹＥＳであればステップＳ１０１の側へ進み、所望ＣＤを再生させるが（ステップＳ１０２でＹＥＳ、図３８のステップＳ２０、または、ステップＳ１０２でＮＯ、Ｓ１０３、Ｓ１０４、図３８のステップＳ１６〜Ｓ１８、Ｓ２０）、ここではステップＳ１００でＮＯであったとすると、Ｑ＝１又は２４かチェックする（ステップＳ１０５´）。
【００７９】
仮にステップＳ１０５´でＹＥＳであれば、そのまま第１交換位置に在るホルダに戻せば、今回再生したＣＤが第１群に属する場合は最新に再生したＣＤを、先頭ホルダ３1 から第１中間ホルダ３12まで昇順に順に見て一番先頭ホルダ寄りに収納でき、今回再生したＣＤが第２群に属する場合は最新に再生したＣＤを、最後尾ホルダ３24から第２中間ホルダ３13まで降順に順に見て一番最後尾ホルダ寄りに収納でき、かつ先頭ホルダ３1 又は最後尾ホルダ３24を第１交換位置で待機した状態とできるので、第１ローディング部７Ａを制御し、ディスク再生部６に在るＣＤを第１交換位置に在る元のホルダに戻し（ステップＳ１０６）、図３８のステップ１４に戻れば良い。但し、ここでは図４７のステップＳ１０５でＮＯとなるので、今回再生したＣＤ４3 がディスク再生部６に在る状態のまま（図４２（１）参照）、続いて、Ｑが１〜１２のいずれかか（今回再生したＣＤが第１群に属するか）チェックする（ステップＳ１１４）。ＹＥＳなので、前述と同様にして、ホルダ３2 と３1 に収納されていたＣＤ４2 と４1 をホルダ３3 と３2 に移し替えたあと、ディスク再生部６にセットされているＣＤ４3 をホルダ３1 に収納させる（ステップＳ１０７〜Ｓ１１２。図４５（１）参照）。そして、ディスク管理情報記憶領域１２Ｂの内、ホルダナンバ１と２に対応付けて記憶されていたディスクナンバを、各々ホルダナンバ２と３のディスクナンバとし、ホルダナンバＱ＝３に対応付けて記憶されていたディスクナンバを、ホルダナンバ１のディスクナンバとする（ステップＳ１１３。図４０（１）参照）。このようにして並べ替え制御を行ったあと、図３８のステップＳ１４に戻る。
【００８０】
次に、ユーザが操作部９で第１群に属するディスクナンバ１２を選択入力すると、コントロール部１０Ｂは前述と同様にして、ホルダ３12に収納されたＣＤ４12を第１交換位置に回転移動後、ディスク再生部６にセットさせたあと１曲目から最終曲まで再生させる（図３８のステップＳ１４〜Ｓ１８、Ｓ２０〜Ｓ２２）。そして、ＣＤ４12の再生が終わったあと一定時間Ｔの間にユーザが所望のディスクナンバの選択入力をしなければ（図４７のステップＳ１００でＮＯ）、ステップＳ１０５´でＮＯ、Ｓ１１２でＹＥＳなので、前述と同様にして、回転部５、第２ローディング部１４、第１ローディング部７Ａを制御し、ホルダ３11〜３1 に収納されていたＣＤ４11〜ＣＤ４4 、４2 、４1 、４3 を、１つずつ最後尾寄りのホルダ３12〜３2 に移し替え、ディスク再生部６にセットされたＣＤ４12をホルダ３1 に収納させる（ステップＳ１０７〜Ｓ１１２。図４５（２）参照）。そして、ディスク管理情報記憶領域１２Ｂの内、ホルダナンバ１〜１１に対応付けて記憶されていたディスクナンバを、各々ホルダナンバ２〜１２のディスクナンバとし、ホルダナンバＱ＝１２に対応付けて記憶されていたディスクナンバを、ホルダナンバ１のディスクナンバとする（ステップＳ１１３。図４０（２）参照）。このようにして並べ替え制御を行うと、最新に再生したＣＤが先頭ホルダ３1 に収納され、かつ第１交換位置で待機した状態となるので、図３８のステップＳ１４に戻る。
【００８１】
（７−２）第２群に属する所望ＣＤの１回目の再生及び並び替え
その後、ユーザが操作部９で第２群に属する例えばディスクナンバ２０を選択入力すると、コントロール部１０Ｂは前述と同様にして、ディスクナンバ２０のＣＤ４20の収納されているホルダのホルダナンバＱを探し、Ｑ＝２０なので、ホルダ３20を第１交換位置に回転移動させ、ホルダ３20からＣＤ４20を取り出しディスク再生部６にセットさせたあと１曲目から最終曲まで再生させる（図３８のステップＳ１４〜Ｓ１８、Ｓ２０〜２２）。そして、ＣＤ４20の再生が終わったあと一定時間Ｔの間にユーザが所望のディスクナンバの選択入力をしなければ（図４７のステップＳ１００でＮＯ）、Ｑ＝１又は２４かチェックする（ステップＳ１０５´）。ＮＯなので続いて、Ｑは２〜１２のいずれかかチェックし（ステップＳ１１４）、ここでもＮＯなので、ディスク再生部６にＣＤ４20がセットされた状態のままで、図４８のステップＳ１２０へ進み、ホルダ３21〜ホルダ３24に収納されていたＣＤ４21〜ＣＤ４24を、１つずつ先頭ホルダ寄りのホルダ３20〜ホルダ３23に移し替え、しかるのち、ホルダ３24にＣＤ４20を収納させる（ステップＳ１２１〜Ｓ１２５。図５０（１）参照）。そして、ディスク管理情報記憶領域１２Ｂの内、ホルダナンバ（Ｑ＋１）＝２１〜２４に対応付けて記憶されていたディスクナンバを、各々ホルダナンバＱ＝２０〜２３に対応付けて記憶させるとともに、ホルダナンバＱ＝２０に対応付けて記憶されていたディスクナンバを、ホルダナンバ２４に対応付けて記憶させる（ステップＳ１２６。図４９（１）参照）。このようにして並べ替え制御を行うと、最新に再生したＣＤが最後尾ホルダ３24に収納され、かつ第１交換位置で待機した状態となるので、図３８のステップＳ１４に戻る。
【００８２】
次に、ユーザが操作部９で第２群に属するディスクナンバ１８を選択入力すると、コントロール部１０Ｂは前述と同様にして、ホルダ３18に収納されたＣＤ４18を第１交換位置に回転移動後、ディスク再生部６にセットさせたあと１曲目から最終曲まで再生させる（図３８のステップＳ１４〜Ｓ１８、Ｓ２０〜Ｓ２２）。そして、ＣＤ４18の再生が終わったあと一定時間Ｔの間にユーザが所望のディスクナンバの選択入力をしなければ（図４７のステップＳ１００でＮＯ）、ステップＳ１０５´とＳ１１４でＮＯとなるので、図４８のステップＳ１２０に進み、ホルダ３19〜ホルダ３24に収納されていたＣＤ４19、４21〜４24、４20を、１つずつ先頭ホルダ寄りのホルダ３18〜ホルダ３23に移し替え、しかるのち、ホルダ３24にＣＤ４18を収納させる（ステップＳ１２１〜Ｓ１２５。図５０（２）参照）。そして、ディスク管理情報記憶領域１２Ｂの内、ホルダナンバ（Ｑ＋１）＝１９〜２４に対応付けて記憶されていたディスクナンバを、各々ホルダナンバＱ＝１８〜２３に対応付けて記憶させるとともに、ホルダナンバＱ＝１８に対応付けて記憶されていたディスクナンバを、ホルダナンバ２４に対応付けて記憶させる（ステップＳ１２６。図４９（２）参照）。このようにして並べ替え制御を行うと、最新に再生したＣＤが最後尾ホルダ３24に収納され、かつ第１交換位置で待機した状態となるので、図３８のステップＳ１４に戻る。
【００８３】
（７−３）第１群又は第２群に属する所望ＣＤの２回目の再生
上記の如くして、ユーザがディスクナンバ３、１２、２０、１８の順にＣＤ４3 、４12、４20、４18を１回ずつ再生させた後、ＣＤ４3 、４12、４20、４18は各々ホルダ３2 、３1 、３23、３24に収納された状態となるので、皆、先頭ホルダ３1 又は最後尾ホルダ３24のごく近傍に収納される。例えば、ＣＤ４3 と第１交換位置との間隔はホルダ２つ分だけである。これに対し図３７〜図３９の本発明の第２の原理説明用のチェンジャー式ＣＤプレーヤで同じくＣＤ４3 、４12、４20、４18を順に１回ずつ再生させた後は、ＣＤ４3 、４12、４20、４18は各々ホルダ３4 、３3 、３2 、３1 に並べ替えられるので、例えば、ＣＤ４3 と第１交換位置との間隔はホルダ３つ分となる。
よって、図３８、図４７、図４８を組み合わせた本発明の第２の実施の形態の場合、例えば、ユーザが操作部９でディスクナンバ３の２回目の選択入力をしたとき、当該所望ＣＤ４3 の収納されたホルダ３2 をホルダ２つ分だけ回転移動させれば第１交換位置に来るので、直ぐにディスク再生部６にセットさせて再生を開始させることができることになる（図３８のステップＳ１４〜Ｓ１８、Ｓ２０〜Ｓ２２）。ディスクナンバ３の代わりに、ディスクナンバ１２の２回目の選択入力をしたときも、当該所望ＣＤ４12の収納されたホルダ３2 をホルダ１つ分だけ回転移動させれば第１交換位置に来るので、直ぐにディスク再生部６にセットさせて再生を開始させることができる。
【００８４】
このように図３８、図４７、図４８の組み合わせによる本発明の第２の実施の形態によれば、ロータリストッカー１に収納された２４枚のＣＤ４1 〜４24は、先頭ホルダ３1 又は最後尾ホルダ３24から、時計回りに見ても反時計回りに見ても、最新に再生したＣＤが先頭ホルダ３1 又は最後尾ホルダ３24に近いホルダに収納された状態となるように並べ替えられるとともに先頭ホルダ３1 又は最後尾ホルダ３24が所定の交換位置で待機する。最近再生させたＣＤは時間を置かずに再び再生させる場合が多く、ユーザが或るＣＤの再生を指示したとき、該所望ＣＤの収納された所望ホルダは先頭近く又は最後尾近くに存在する確率がかなり高く、所望ホルダを第１交換位置へ移動するのに要する平均的な時間が非常に短くて済み、再生開始までの平均的な待ち時間がかなり短くなる。
なお、図３８、図４７、図４８を組み合わせた第２の実施の形態において、図３８のステップＳ１２の処理を最後尾ホルダ３24は第１交換位置に在るかの判断に変更し、ステップＳ１２でＮＯの場合のステップＳ１３の処理を、最後尾ホルダ３24を第１交換位置に移動することに変更しても良い。また、図４７のステップＳ１０６、Ｓ１１３、Ｓ１２６のあと、図３８のステップＳ１４へ進むかわりに、ステップＳ１２へ進むようにしても良い。
【００８５】
上記した各実施の形態と各変形例では、ロータリストッカーはＣＤ２４枚分の収納容量が有る場合につき説明したが、２４枚より少なかったり、多い場合にも同様に適用することができる。また、従来のチェンジャー式ＣＤプレーヤにダミーホルダと第２ローディング部を追加したのでロータリストッカーの全てのホルダにＣＤが収納済であっても並び替え動作が可能であるが、数百枚を越える多数枚のチェンジャーでは、ロータリストッカーに空きのホルダが有る場合も多く、かかる空きホルダを使用することで、ダミーホルダと第２ローディング部がなくても並び替え動作を行うことが可能である。
また、上記した各実施の形態と各変形例では、いずれも記録媒体としてＣＤを例に挙げて説明したが、本発明は何らこれに限定されるものでなく、ＭＤ（ミニディスク）、ＤＶＤ（ディジタルバーサタイルディスク）など他の種類の記録媒体であっても同様に適用することができる。
【００８６】
【発明の効果】
本発明によれば、ユーザが或る記録媒体の再生を指示したとき、該所望記録媒体の収納された所望ホルダは先頭近くに存在する確率が高く、所望ホルダを所定の交換位置へ移動するのに要する平均的な時間が短くて済み、再生開始までの平均的な待ち時間が短くなる。
【図面の簡単な説明】
【図１】  本発明の第１の原理を説明するためのチェンジャー式ＣＤプレーヤのブロック図である。
【図２】  図１中のコントロール部の制御処理を示すフローチャートである。
【図３】  図１中のコントロール部の制御処理を示すフローチャートである。
【図４】  ディスク管理情報記憶領域の記憶内容の説明図である。
【図５】  ディスク管理情報記憶領域の記憶内容の説明図である。
【図６】  ディスク管理情報記憶領域の記憶内容の説明図である。
【図７】  ディスク管理情報記憶領域の記憶内容の説明図である。
【図８】  ディスク移動動作の説明図である。
【図９】  ディスク移動動作の説明図である。
【図１０】  ディスク移動動作の説明図である。
【図１１】  ディスク移動動作の説明図である。
【図１２】  ディスク移動動作の説明図である。
【図１３】  ディスク移動動作の説明図である。
【図１４】  ディスク移動動作の説明図である。
【図１５】  ディスク移動動作の説明図である。
【図１６】  本発明の第１の実施の形態に係るコントロール部の制御処理を示すフローチャートである。
【図１７】  本発明の第１の実施の形態に係るディスク管理情報記憶領域の記憶内容の説明図である。
【図１８】  本発明の第１の実施の形態に係るディスク移動動作の説明図である。
【図１９】  本発明の第１の原理の変形例に係るコントロール部の制御処理を示すフローチャートである。
【図２０】  本発明の第１の原理の変形例に係るコントロール部の制御処理を示すフローチャートである。
【図２１】  本発明の第１の原理の変形例に係るディスク管理情報記憶領域の記憶内容の説明図である。
【図２２】  本発明の第１の原理の変形例に係るディスク管理情報記憶領域の記憶内容の説明図である。
【図２３】  本発明の第１の原理の変形例に係るディスク管理情報記憶領域の記憶内容の説明図である。
【図２４】  本発明の第１の原理の変形例に係るディスク移動動作の説明図である。
【図２５】  本発明の第１の原理の変形例に係るディスク移動動作の説明図である。
【図２６】  本発明の第１の原理の変形例に係るディスク移動動作の説明図である。
【図２７】  本発明の第１の原理の変形例に係るディスク移動動作の説明図である。
【図２８】  本発明の第１の原理の変形例に係るディスク移動動作の説明図である。
【図２９】  本発明の第１の原理の変形例に係るディスク移動動作の説明図である。
【図３０】  本発明の第１の原理の変形例に係るディスク移動動作の説明図である。
【図３１】  本発明の第１の原理の変形例に係るディスク移動動作の説明図である。
【図３２】  本発明の第１の実施の形態の変形例に係るコントロール部の制御処理を示すフローチャートである。
【図３３】  本発明の第１の実施の形態の変形例に係るコントロール部の制御処理を示すフローチャートである。
【図３４】  本発明の第１の実施の形態の変形例に係るディスク管理情報記憶領域の記憶内容の説明図である。
【図３５】  本発明の第１の実施の形態の変形例に係るディスク管理情報記憶領域の記憶内容の説明図である。
【図３６】  本発明の第１の実施の形態の変形例に係るディスク移動動作の説明図である。
【図３７】  本発明の第２の原理を説明するためのチェンジャー式ＣＤプレーヤのブロック図である。
【図３８】  図３７中のコントロール部の制御処理を示すフローチャートである。
【図３９】  図３７中のコントロール部の制御処理を示すフローチャートである。
【図４０】  ディスク管理情報記憶領域の記憶内容の説明図である。
【図４１】  ディスク管理情報記憶領域の記憶内容の説明図である。
【図４２】  本発明の第２の原理におけるディスク移動動作の説明図である。
【図４３】  本発明の第２の原理におけるディスク移動動作の説明図である。
【図４４】  本発明の第２の原理におけるディスク移動動作の説明図である。
【図４５】  本発明の第２の原理におけるディスク移動動作の説明図である。
【図４６】  本発明の第２の原理におけるディスク移動動作の説明図である。
【図４７】  本発明の第２の実施の形態に係る制御処理を示すフローチャートである。
【図４８】  本発明の第２の実施の形態に係る制御処理を示すフローチャートである。
【図４９】  本発明の第２の実施の形態に係るディスク管理情報記憶領域の記憶内容の説明図である。
【図５０】  本発明の第２の実施の形態に係るディスク移動動作の説明図である。
【図５１】  従来のチェンジャー式ＣＤプレーヤの構成を示すブロック図である。
【図５２】  ディスク移動動作の説明図である。
【図５３】  ディスク移動動作の説明図である。
【図５４】  ディスク移動動作の説明図である。
【符号の説明】
１  ロータリストッカー
３1 〜３24  ホルダ
４1 〜４24  ＣＤ
５  回転部
６  ディスク再生部
７Ａ  第１ローディング部
９  操作部
１０Ａ、１０Ｂ  コントロール部
１２Ａ、１２Ｂ  ディスク管理情報記憶領域
１３  ダミーホルダ
１４  第２ローディング部
【図１】
0003701177.tif 000002
【図２】
0003701177.tif 000003
【図３】
0003701177.tif 000004
【図４】
0003701177.tif 000005
【図５】
0003701177.tif 000006
【図６】
0003701177.tif 000007
【図７】
0003701177.tif 000008
【図８】
0003701177.tif 000009
【図９】
0003701177.tif 000010
【図１０】
0003701177.tif 000011
【図１１】
0003701177.tif 000012
【図１２】
0003701177.tif 000013
【図１３】
0003701177.tif 000014
【図１４】
0003701177.tif 000015
【図１５】
0003701177.tif 000016
【図１６】
0003701177.tif 000017
【図１７】
0003701177.tif 000018
【図１８】
0003701177.tif 000019
【図１９】
0003701177.tif 000020
【図２０】
0003701177.tif 000021
【図２１】
0003701177.tif 000022
【図２２】
0003701177.tif 000023
【図２３】
0003701177.tif 000024
【図２４】
0003701177.tif 000025
【図２５】
0003701177.tif 000026
【図２６】
0003701177.tif 000027
【図２７】
0003701177.tif 000028
【図２８】
0003701177.tif 000029
【図２９】
0003701177.tif 000030
【図３０】
0003701177.tif 000031
【図３１】
0003701177.tif 000032
【図３２】
0003701177.tif 000033
【図３３】
0003701177.tif 000034
【図３４】
0003701177.tif 000035
【図３５】
0003701177.tif 000036
【図３６】
0003701177.tif 000037
【図３７】
0003701177.tif 000038
【図３８】
0003701177.tif 000039
【図３９】
0003701177.tif 000040
【図４０】
0003701177.tif 000041
【図４１】
0003701177.tif 000042
【図４２】
0003701177.tif 000043
【図４３】
0003701177.tif 000044
【図４４】
0003701177.tif 000045
【図４５】
0003701177.tif 000046
【図４６】
0003701177.tif 000047
【図４７】
0003701177.tif 000048
【図４８】
0003701177.tif 000049
【図４９】
0003701177.tif 000050
【図５０】
0003701177.tif 000051
【図５１】
0003701177.tif 000052
【図５２】
0003701177.tif 000053
【図５３】
0003701177.tif 000054
【図５４】
0003701177.tif 000055